(57)【要約】【課題】ＨＤＭＩソース機器からダイナミックレンジ処理された非圧縮画像データをＨＤＭＩ伝送して、ＨＤＭＩシンク機器において適切な輝度で表示させる。【解決手段】テレビ受信機１３は、ＨＤＭＩ入力切換えが行なわれたときに、入力切換先のＨＤＭＩソース機器に対して送信要求情報を送信することにより、所望するタイミングで非圧縮画像データのダイナミックレンジ変換定義情報を取得する。また、テレビ受信機１３は、非圧縮画像データのダイナミックレンジ変換定義情報を取得できたときには、受信認識情報を返信することによって、ＢＤレコーダー１１からのダイナミックレンジ変換定義情報の送信を最小限にとどめる。【選択図】  図１
2019110547.tif 000002
【特許請求の範囲】
【請求項１】
伝送路を介して非圧縮画像データを外部機器へ送信するデータ送信部と、
前記伝送路を介して非圧縮画像データのダイナミックレンジ変換定義情報を前記外部機器へ送信する情報送信部と、
前記伝送路を介して前記外部機器からダイナミックレンジ変換定義情報の送信制御情報を受信する制御受信部と、
を具備する通信装置。
【請求項２】
前記制御受信部は、前記伝送路の直流バイアス電位によって前記外部機器の接続状態の通知を受信するラインを介して、前記外部機器から送信制御情報を受信する、
請求項１に記載の通信装置。
【請求項３】
前記制御受信部は、前記伝送路に含まれる所定の制御データ・ラインを介して、前記外部機器から送信制御情報を受信する、
請求項１に記載の通信装置。
【請求項４】
前記制御受信部は、前記伝送路に含まれる所定ラインを用いて構成される双方向通信路を介して、前記外部機器から送信制御情報を受信する、
請求項１に記載の通信装置。
【請求項５】
前記制御受信部で前記外部機器から受信した送信制御情報に基づいて、前記情報送信部から前記外部機器へのダイナミックレンジ変換定義情報の送信を制御する、
請求項１乃至４のいずれかに記載の通信装置。
【請求項６】
伝送路を介して非圧縮画像データを外部機器へ送信するデータ送信ステップと、
前記伝送路を介して非圧縮画像データのダイナミックレンジ変換定義情報を前記外部機器へ送信する情報送信ステップと、
前記伝送路を介して前記外部機器からダイナミックレンジ変換定義情報の送信制御情報を受信する制御受信ステップと、
前記制御受信ステップで前記外部機器から受信した送信制御情報に基づいて、前記外部機器へのダイナミックレンジ変換定義情報の送信を制御する送信制御ステップと、
を有する通信方法。
【請求項７】
伝送路を介して非圧縮画像データを外部機器へ送信するデータ送信部、
前記伝送路を介して非圧縮画像データのダイナミックレンジ変換定義情報を前記外部機器へ送信する情報送信部、
前記伝送路を介して前記外部機器からダイナミックレンジ変換定義情報の送信制御情報を受信する制御受信部、
としてコンピューターを機能させるようにコンピューター可読形式で記述されたコンピューター・プログラム。
【請求項８】
伝送路を介して外部機器から非圧縮画像データを受信するデータ受信部と、
前記伝送路を介して非圧縮画像データのダイナミックレンジ変換定義情報を前記外部機器から受信する情報受信部と、
前記伝送路を介して前記外部機器にダイナミックレンジ変換定義情報の送信制御情報を送信する制御送信部と、
を具備する通信装置。
【請求項９】
前記制御送信部は、前記伝送路の直流バイアス電位によって前記外部機器の接続状態の通知を受信するラインを介して、前記外部機器へ送信制御情報を送信する、
請求項８に記載の通信装置。
【請求項１０】
前記制御送信部は、前記伝送路に含まれる所定の制御データ・ラインを介して、前記外部機器へ送信制御情報を送信する、
請求項８に記載の通信装置。
【請求項１１】
前記制御送信部は、前記伝送路に含まれる所定ラインを用いて構成される双方向通信路を介して、前記外部機器へ送信制御情報を送信する、
請求項８に記載の通信装置。
【請求項１２】
伝送路を介して外部機器から非圧縮画像データを受信するデータ受信ステップと、
前記伝送路を介して非圧縮画像データのダイナミックレンジ変換定義情報を前記外部機器から受信する情報受信ステップと、
前記伝送路を介して前記外部機器にダイナミックレンジ変換定義情報の送信制御情報を送信する制御送信ステップと、
を具備する通信装置。
【請求項１３】
伝送路を介して外部機器から非圧縮画像データを受信するデータ受信部、
前記伝送路を介して非圧縮画像データのダイナミックレンジ変換定義情報を前記外部機器から受信する情報受信部、
前記伝送路を介して前記外部機器にダイナミックレンジ変換定義情報の送信制御情報を送信する制御送信部、
としてコンピューターを機能させるようにコンピューター可読形式で記述されたコンピューター・プログラム。
【発明の詳細な説明】
【技術分野】
【０００１】
本明細書で開示する技術は、データを送受信する通信装置及び通信方法、並びにコンピューター・プログラムに係り、例えば、ＨＤＭＩなどのデジタル・インターフェースで伝送される非圧縮画像データを送受信する通信装置及び通信方法、並びにコンピューター・プログラムに関する。
【背景技術】
【０００２】
近年、非圧縮（ベースバンド）の画像信号（画像データ）と、その画像信号に付随するデジタル音声信号（音声データ）とを、高速に伝送する通信インターフェースとして、ＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）が普及しつつある。ＨＤＭＩインターフェースを介して接続される、データの送信側はＨＤＭＩソース機器であり、データの受信側はＨＤＭＩシンク機器である。例えば、ＨＤＭＩソース機器としてのＢＤ（Ｂｌｕ−Ｒａｙ  Ｄｉｓｃ）レコーダーやＳＴＢ（Ｓｅｔ  Ｔｏｐ  Ｂｏｘ）、その他のＡＶソース（Ａｕｄｉｏ  Ｖｉｓｕａｌ  Ｓｏｕｒｃｅ）と、ＨＤＭＩシンク機器としてのテレビ受信機、プロジェクター、その他のディスプレイとを、ＨＤＭＩインターフェースで接続したＡＶシステムなどが考えられる。
【０００３】
例えば、複数のＨＤＭＩ入力を備え、ユーザーの操作に応じて入力ソース切り替え機能を備えるＨＤＭＩシンク機器が知られている（例えば、特許文献１、２を参照のこと）。ＨＤＭＩソース機器では、ユーザーにより切換えられたＨＤＭＩ入力の検出のため、ＨＤＭＩ端子のホットプラグ信号を検出して、画像音声信号の出力を制御している。
【０００４】
ＨＤＭＩソース機器から出力される非圧縮画像データは、標準輝度以上のダイナミックレンジを持つ元画像に対してダイナミックレンジ変換を行ない、標準輝度のダイナミックレンジに圧縮してから、伝送されることがある。
【０００５】
また、最近では、ディスプレイ技術の進歩により、例えば１０００ｃｄ／ｍ2程度の、標準輝度よりも明るい画像を表示可能な有機（Ｏｒｇａｎｉｃ  Ｅｌｅｃｔｒｏ−Ｌｕｍｉｎｅｓｃｅｎｃｅ）ディスプレイやＬＣＤ（Ｌｉｑｕｉｄ  Ｃｒｙｓｔａｌ  Ｄｉｓｐｌａｙ）などの表示装置も市販されている。ＨＤＭＩシンク機器がこのような広いダイナミックレンジを有する表示装置の場合には、一旦標準輝度にダイナミックレンジ変換された画像データに対してダイナミックレンジ逆変換を行ない、元の高輝度のダイナミックレンジを持つ画像データに戻すことで、その性能を活かすような画像表示が可能になる。
【０００６】
ところが、上述したように、ＨＤＭＩシンク機器においてＨＤＭＩ入力切換を行なった際に、切り換え前後のＨＤＭＩソース機器の間で非圧縮画像データのダイナミックレンジ変換定義情報が変化した場合、ＨＤＭＩシンク機器は異なるダイナミックレンジ変換定義情報に基づいて非圧縮画像データのダイナミックレンジ逆変換を行ない、所望のダイナミックレンジとは異なるダイナミックレンジの画像に変換してしまう可能性がある。
【発明の概要】
【発明が解決しようとする課題】
【０００７】
本明細書で開示する技術の目的は、ダイナミックレンジ処理された非圧縮画像データをＨＤＭＩなどのデジタル・インターフェース経由で好適に送受信することができる、優れた通信装置及び通信方法、並びにコンピューター・プログラムを提供することにある。
【０００８】
本明細書で開示する技術の目的は、ダイナミックレンジ処理された非圧縮画像データを、ＨＤＭＩなどのデジタル・インターフェース経由で伝送して、ＨＤＭＩシンク機器において適切な輝度で表示させることができる、優れた通信装置及び通信方法、並びにコンピューター・プログラムを提供することにある。
【課題を解決するための手段】
【０００９】
本願は、上記課題を参酌してなされたものであり、請求項１に記載の技術は、
伝送路を介して非圧縮画像データを外部機器へ送信するデータ送信部と、
前記伝送路を介して非圧縮画像データのダイナミックレンジ変換定義情報を前記外部機器へ送信する情報送信部と、
前記伝送路を介して前記外部機器からダイナミックレンジ変換定義情報の送信制御情報を受信する制御受信部と、
を具備する通信装置である。
【００１０】
本願の請求項２に記載の技術によれば、請求項１に記載の通信装置の前記制御受信部は、前記伝送路の直流バイアス電位によって前記外部機器の接続状態の通知を受信するラインを介して、前記外部機器から送信制御情報を受信するように構成されている。
【００１１】
本願の請求項３に記載の技術によれば、請求項１に記載の通信装置の前記制御受信部は、前記伝送路に含まれる所定の制御データ・ラインを介して、前記外部機器から送信制御情報を受信するように構成されている。
【００１２】
本願の請求項４に記載の技術によれば、請求項１に記載の通信装置の前記制御受信部は、前記伝送路に含まれる所定ラインを用いて構成される双方向通信路を介して、前記外部機器から送信制御情報を受信するように構成されている。
【００１３】
本願の請求項５に記載の技術によれば、請求項１乃至４のいずれかに記載の通信装置は、前記制御受信部で前記外部機器から受信した送信制御情報に基づいて、前記情報送信部から前記外部機器へのダイナミックレンジ変換定義情報の送信を制御するように構成されている。
【００１４】
また、本願の請求項６に記載の技術は、
伝送路を介して非圧縮画像データを外部機器へ送信するデータ送信ステップと、
前記伝送路を介して非圧縮画像データのダイナミックレンジ変換定義情報を前記外部機器へ送信する情報送信ステップと、
前記伝送路を介して前記外部機器からダイナミックレンジ変換定義情報の送信制御情報を受信する制御受信ステップと、
前記制御受信ステップで前記外部機器から受信した送信制御情報に基づいて、前記外部機器へのダイナミックレンジ変換定義情報の送信を制御する送信制御ステップと、
を有する通信方法である。
【００１５】
また、本願の請求項７に記載の技術は、
伝送路を介して非圧縮画像データを外部機器へ送信するデータ送信部、
前記伝送路を介して非圧縮画像データのダイナミックレンジ変換定義情報を前記外部機器へ送信する情報送信部、
前記伝送路を介して前記外部機器からダイナミックレンジ変換定義情報の送信制御情報を受信する制御受信部、
としてコンピューターを機能させるようにコンピューター可読形式で記述されたコンピューター・プログラムである。
【００１６】
本願の請求項７に係るコンピューター・プログラムは、コンピューター上で所定の処理を実現するようにコンピューター可読形式で記述されたコンピューター・プログラムを定義したものである。換言すれば、本願の請求項７に係るコンピューター・プログラムをコンピューターにインストールすることによって、コンピューター上では協働的作用が発揮され、本願の請求項１に係る通信装置と同様の作用効果を得ることができる。
【００１７】
また、本願の請求項８に記載の技術は、
伝送路を介して外部機器から非圧縮画像データを受信するデータ受信部と、
前記伝送路を介して非圧縮画像データのダイナミックレンジ変換定義情報を前記外部機器から受信する情報受信部と、
前記伝送路を介して前記外部機器にダイナミックレンジ変換定義情報の送信制御情報を送信する制御送信部と、
を具備する通信装置である。
【００１８】
本願の請求項９に記載の技術によれば、請求項８に記載の通信装置の前記制御送信部は、前記伝送路の直流バイアス電位によって前記外部機器の接続状態の通知を受信するラインを介して、前記外部機器へ送信制御情報を送信するように構成されている。
【００１９】
本願の請求項１０に記載の技術によれば、請求項８に記載の通信装置の前記制御送信部は、前記伝送路に含まれる所定の制御データ・ラインを介して、前記外部機器へ送信制御情報を送信するように構成されている。
【００２０】
本願の請求項１１に記載の技術によれば、請求項８に記載の通信装置の前記制御送信部は、前記伝送路に含まれる所定ラインを用いて構成される双方向通信路を介して、前記外部機器へ送信制御情報を送信するように構成されている。
【００２１】
また、本願の請求項１２に記載の技術は、
伝送路を介して外部機器から非圧縮画像データを受信するデータ受信ステップと、
前記伝送路を介して非圧縮画像データのダイナミックレンジ変換定義情報を前記外部機器から受信する情報受信ステップと、
前記伝送路を介して前記外部機器にダイナミックレンジ変換定義情報の送信制御情報を送信する制御送信ステップと、
を具備する通信装置である。
【００２２】
また、本願の請求項１３に記載の技術は、
伝送路を介して外部機器から非圧縮画像データを受信するデータ受信部、
前記伝送路を介して非圧縮画像データのダイナミックレンジ変換定義情報を前記外部機器から受信する情報受信部、
前記伝送路を介して前記外部機器にダイナミックレンジ変換定義情報の送信制御情報を送信する制御送信部、
としてコンピューターを機能させるようにコンピューター可読形式で記述されたコンピューター・プログラムである。
【００２３】
本願の請求項１３に係るコンピューター・プログラムは、コンピューター上で所定の処理を実現するようにコンピューター可読形式で記述されたコンピューター・プログラムを定義したものである。換言すれば、本願１３の請求項に係るコンピューター・プログラムをコンピューターにインストールすることによって、コンピューター上では協働的作用が発揮され、本願の請求項８に係る通信装置と同様の作用効果を得ることができる。
【発明の効果】
【００２４】
本明細書で開示する技術によれば、ダイナミックレンジ処理された非圧縮画像データを、ＨＤＭＩなどのデジタル・インターフェース経由で伝送して、ＨＤＭＩシンク機器において適切な輝度で表示させることができる、優れた通信装置及び通信方法、並びにコンピューター・プログラムを提供することができる。
【００２５】
なお、本明細書に記載された効果は、あくまでも例示であり、本発明の効果はこれに限定されるものではない。また、本発明が、上記の効果以外に、さらに付加的な効果を奏する場合もある。
【００２６】
本明細書で開示する技術のさらに他の目的、特徴や利点は、後述する実施形態や添付する図面に基づくより詳細な説明によって明らかになるであろう。
【図面の簡単な説明】
【００２７】
【図１】図１は、本明細書で開示する技術を適用したＡＶ（Ａｕｄｉｏ  Ｖｉｓｕａｌ）システム１０の機能的構成例を示した図である。
【図２】図２は、図１に示したＡＶシステム１０における、ＢＤレコーダー１１のＨＤＭＩ送信部１１ｂと、テレビ受信機１３のＨＤＭＩ受信部１３ｂを示した図である。
【図３】図３は、ＴＤＭＳチャネル＃０、＃１、＃２において、横×縦が１９２０ピクセル×１０８０ラインの画像データが伝送される場合の、各種のＴＤＭＳ伝送データの区間を示した図である。
【図４】図４は、ＢＤレコーダー１１の構成例を示した図である。
【図５】図５は、テレビ受信機１３の構成例を示した図である。
【図６】図６は、ダイナミックレンジ変換定義情報「ｋｎｅｅ＿ｆｕｎｃｔｉｏｎ＿ｉｎｆｏ  ＳＥＩ」のシンタクス例を示した図である。
【図７】図７は、ダイナミックレンジ変換定義情報の伝送方法の一例を示した図である
【図８】図８は、ダイナミックレンジ変換定義情報を間引き伝送する方法の一例を示した図である。
【図９】図９は、ダイナミックレンジ変換定義情報を間引き伝送するときに発生する問題を説明するための図である。
【図１０】図１０は、本明細書で開示する技術を適用したダイナミックレンジ変換定義情報の伝送方法の一例を示した図である。
【図１１】図１１は、本明細書で開示する技術を適用したダイナミックレンジ変換定義情報の伝送方法の他の例を示した図である。
【図１２】図１２は、本明細書で開示する技術を適用したダイナミックレンジ変換定義情報の伝送方法のさらに他の例を示した図である。
【図１３】図１３は、ＣＥＣパケットのデータ構造例を示した図である。
【図１４】図１４は、双方向通信路のデータ構造例を示した図である。
【図１５】図１５は、ＢＤレコーダー１１においてダイナミックレンジ変換定義情報の送信制御を行なうための処理手順を示したフローチャートである。
【図１６】図１６は、テレビ受信機１３においてダイナミックレンジ変換定義情報の送信制御を行なうための処理手順を示したフローチャートである。
【図１７】図１７は、ＤＰインターフェースを用いたＤＰシステム１７００の構成例を示した図である。
【図１８】図１８は、ＤＰインターフェースに含まれるＡＵＸチャネル１７０５上で伝送されるパケットの構造例１８００を示した図である。
【図１９】図１９は、ＭＨＬインターフェースを用いたＭＨＬシステム１９００の構成例を示した図である。
【図２０】図２０は、ＣＢＵＳチャネル１９０６上で伝送されるパケットの構造例２００００を示した図である。
【図２１】図２１は、ダイナミックレンジ変換定義情報を説明するための図である。
【発明を実施するための形態】
【００２８】
以下、図面を参照しながら本明細書で開示する技術の実施形態について詳細に説明する。
【００２９】
［システム構成例］
図１には、本明細書で開示する技術を適用したＡＶ（Ａｕｄｉｏ  Ｖｉｓｕａｌ）システム１０の機能的構成例を示している。図示のＡＶシステム１０は、ＨＤＭＩソース機器としてのＢＤ（Ｂｌｕ−ｒａｙ  Ｄｉｓｃ）レコーダー１１及びＳＴＢ（Ｓｅｔ  Ｔｏｐ  Ｂｏｘ）１２と、ＨＤＭＩシンク機器としてのテレビ受信機１３とを有している。ＢＤレコーダー１１とテレビ受信機１３間は、伝送路としてのＨＤＭＩケーブル１４−１を介して接続されている。また、ＳＴＢ１２とテレビ受信機１３間は、伝送路としてのＨＤＭＩケーブル１４−２を介して接続されている。
【００３０】
ＢＤレコーダー１１は、記憶媒体１１ｆから符号化データを読み出して非圧縮画像に復号する復号部１１ｅと、復号部１１ｅで復号されたデータの中からハイダイナミックレンジ画像の変換定義情報を取得して、ＨＤＭＩケーブル１４−１を介してテレビ受信機１３へ送信する情報送信部１１ｄと、復号部１１ｅで復号されたデータを、ＨＤＭＩケーブル１４−１を介してテレビ受信機１３へ送信するＨＤＭＩ送信部（ＨＤＭＩ  ＴＸ）１１ｂと、テレビ受信機１３からの送信制御情報を受信する制御受信部１１ｃと、ＨＤＭＩ送信部１１ｂ及び制御受信部１１ｃが接続されたＨＤＭＩ端子１１ａを備えている。制御受信部１１ｃの機能は、ＨＤＭＩ送信部１１ｂ内に組み込まれる場合や、高速バス・インターフェース（後述）を用いて実現される場合がある。
【００３１】
情報送信部１１ｄは、例えばＨＤＭＩ送信部１１ｂから送信する非圧縮画像データのブランキング期間（後述）にダイナミックレンジ変換定義情報を挿入したり、あるいは、ＨＤＭＩケーブル１４−１に含まれる所定ラインを用いて構成される双方向通信路（後述）を用いてダイナミックレンジ変換定義情報を格納したパケットを伝送したりする。また、制御受信部１１ｃは、テレビ受信機１３からダイナミックレンジ変換定義情報の送信制御情報（送信要求情報や受信認識情報：後述）の受信を行なう。
【００３２】
なお、ＢＤレコーダー１１は、非圧縮画像データを符号化する機能や、（符号化圧縮された又は非圧縮のままの）画像データを記憶媒体１１ｆに書き込む機能も備えているが、図示を省略する。
【００３３】
ＨＤＭＩケーブル１４−１の一端はＢＤレコーダー１１のＨＤＭＩ端子１１ａに接続され、このＨＤＭＩケーブル１４−１の他端はテレビ受信機１３のＨＤＭＩ端子１３ａに接続されている。
【００３４】
ＳＴＢ１２は、デジタル放送ストリームを選局受信するチューナー部１２ｄと、チューナー部１２ｄで受信したデジタル放送ストリームから符号化データを読み出して非圧縮画像に復号する復号部１２ｅと、復号部１２ｅで復号されたデータの中からダイナミックレンジ変換定義情報を取得して記憶しておく情報記憶部１２ｆと、ＨＤＭＩケーブル１４−２を介して、ダイナミックレンジ変換定義情報をテレビ受信機１３へ送信する情報送信部１２ｇと、復号部１２ｅで復号されたデータを、ＨＤＭＩケーブル１４−２を介してテレビ受信機１３へ送信するＨＤＭＩ送信部（ＨＤＭＩ  ＴＸ）１２ｂと、テレビ受信機１３からの送信制御情報を受信する制御受信部１２ｃと、ＨＤＭＩ送信部１２ｂ及び制御受信部１２ｃが接続されたＨＤＭＩ端子１２ａを備えている。制御受信部１２ｃの機能は、ＨＤＭＩ送信部１２ｂ内に組み込まれる場合や、高速バス・インターフェース（後述）を用いて実現される場合がある。
【００３５】
情報送信部１２ｇは、例えばＨＤＭＩ送信部１２ｂから送信する非圧縮画像データのブランキング期間（後述）にダイナミックレンジ変換定義情報を挿入したり、あるいは、ＨＤＭＩケーブル１４−２に含まれる所定ラインを用いて構成される双方向通信路（後述）を用いてダイナミックレンジ変換定義情報を格納したパケットを伝送したりする。また、制御受信部１２ｃは、テレビ受信機１３からダイナミックレンジ変換定義情報の送信制御情報（送信要求情報や受信認識情報）の受信を行なう。
【００３６】
ＨＤＭＩケーブル１４−２の一端はＳＴＢ１２のＨＤＭＩ端子１２ａに接続され、このＨＤＭＩケーブル１４−２の他端はテレビ受信機１３のＨＤＭＩ端子１３ｆに接続されている。
【００３７】
なお、図１に示したＳＴＢ１２のデジタル放送ストリームを選局受信するチューナー部１２ｄとは別に、インターネット上のコンテンツをコンテンツ・サーバーからコンテンツなどのデータを取得するＥｔｈｅｒｎｅｔ（登録商標）回路を具備するＩＰＴＶ（Ｉｎｔｅｒｎｅｔ  Ｐｒｏｔｏｃｏｌ  Ｔｅｌｅｖｉｓｉｏｎ）用のＳＴＢでも、ＳＴＢ１２と同様の構成をとることがあり、ＨＤＭＩソース機器の１つとしてＡＶシステム１０に適用することができる。
【００３８】
テレビ受信機１３は、ＢＤレコーダー１１から非圧縮画像データを受信するＨＤＭＩ受信部１３ｂ及びＢＤレコーダー１１へ送信制御情報を送信する制御送信部１３ｃが接続されたＨＤＭＩ端子１３ａと、伝送路１４−１を介して、非圧縮画像データのダイナミックレンジ変換定義情報を取得する情報受信部１３ｄと、情報受信部１３ｄで受信したダイナミックレンジ変換定義情報を記憶しておく記憶部１３ｅと、ＳＴＢ１２から非圧縮データを受信するＨＤＭＩ受信部１３ｇ及びＳＴＢ１２へ送信制御情報を送信する制御送信部１３ｈが接続されたＨＤＭＩ端子１３ｆと、伝送路１４−２を介して、非圧縮画像データのダイナミックレンジ変換定義情報を取得する情報受信部１３ｉと、情報受信部１３ｉで受信したダイナミックレンジ変換定義情報を記憶しておく記憶部１３ｊと、複数のＨＤＭＩ端子１３ａ又は１３ｆのいずれか１つをＨＤＭＩ入力として選択する選択部１３ｋと、選択された非圧縮画像データのダイナミックレンジ変換処理を行なう信号処理部１３ｍが設けられている。また、選択部１３ｋは、例えばユーザー操作部（図示しない）に対するユーザーの操作に応じて、ＨＤＭＩ入力の切り換えを行なう。制御受信部１１ｃの機能は、ＨＤＭＩ送信部１１ｂ内に組み込まれる場合や、高速バス・インターフェース（後述）を用いて実現される場合がある。
【００３９】
情報受信部１３ｄ／１３ｉは、ＨＤＭＩケーブル１４−１／１４−２を介して伝送される非圧縮画像データのブランキング期間に挿入されたダイナミックレンジ変換定義情報を受信し、あるいは、ＨＤＭＩケーブル１４−１／１４−２に含まれる所定ラインを用いて構成される双方向通信路（後述）を介してダイナミックレンジ変換定義情報を受信する。また、制御送信部１３ｃ／１３ｈは、ＢＤレコーダー１１やＳＴＢ１２に対して、ダイナミックレンジ変換定義情報の送信制御情報（送信要求情報や受信認識情報：後述）の送信を行なう。制御送信部１３ｃ／１３ｈは、例えば、ＨＤＭＩケーブル１４−１／１４−２に含まれる機器接続検知用のライン、制御データ・ライン、又は、所定ラインを用いて構成される双方向通信路を介して送信制御情報を送信することができる（後述）。
【００４０】
なお、ＢＤレコーダー１１のＨＤＭＩ送信部１１ｂと制御受信部１１ｃと情報送信部１１ｄは、１つのチップになっていても、複数のコアで構成されていてもよい。また、制御受信部１１ｃと情報送信部１１ｄは、ＨＤＭＩケーブル１４−１に含まれている所定ラインで構成される高速バス・インターフェース１２０（ＨＥＣライン：後述）であってもよい。
【００４１】
また、ＳＴＢ１２のＨＤＭＩ送信部１２ｂと制御受信部１２ｃと情報受信部１２ｇと情報記憶部１２ｆは、１つのチップになっていても、複数のコアで構成されていてもよい。また、制御受信部１２ｃと情報送信部１２ｇは、ＨＤＭＩケーブル１４−２に含まれている所定ラインで構成される高速バス・インターフェース（後述）であってもよい。
【００４２】
また、テレビ受信機１３のＨＤＭＩ受信部１３ｂ／１３ｇと制御送信部１３ｃ／１３ｈと記憶部１３ｅ／１３ｊと選択部１３ｋは、１つのチップになっていても、複数のコアで構成されていてもよい。また、制御送信部１３ｃ／１３ｈと情報受信部１３ｄ／１３ｉは、ＨＤＭＩケーブル１４−１に含まれている所定ラインで構成される高速バス・インターフェース１２０（後述）であってもよい。
【００４３】
ＢＤレコーダー１１内の記憶媒体１１ｆから読み出され、復号部１１ｅで復号された非圧縮画像データは、元々は輝度ダイナミックレンジが広い非圧縮画像データであるが、標準輝度のダイナミックレンジに変換されたものである。すなわち、ＨＤＭＩソース機器としてのＢＤレコーダー１１からは、標準輝度以上のダイナミックレンジを持つ元画像に対して標準輝度のダイナミックレンジへ変化されたものが、テレビ受信機１３へ伝送される。同様に、ＳＴＢ１２内のチューナー部１２ｄで受信され、復号部１２ｅで復号された非圧縮画像データは、元々は輝度ダイナミックレンジが広い非圧縮画像データであるが、標準輝度のダイナミックレンジに変換されたものである。すなわち、ＨＤＭＩソース機器としてのＳＴＢ１２からは、標準輝度以上のダイナミックレンジを持つ元画像に対して標準輝度のダイナミックレンジへ変化されたものが、テレビ受信機１３へ伝送される。
【００４４】
一方、テレビ受信機１３は、例えば１０００ｃｄ／ｍ2程度の、標準輝度よりも明るい画像を表示可能な有機ディスプレイやＬＣＤなどの表示装置を備えている。このような場合、ＨＤＭＩシンク機器としてのテレビ受信機１３側では、標準輝度にダイナミックレンジ変換された画像データに対してダイナミックレンジ逆変換を行ない、元の高輝度のダイナミックレンジを持つ画像データに戻すことで、その性能を活かすような画像表示を行なうことが望まれる。
【００４５】
本実施形態に係るＡＶシステム１０では、ＨＤＭＩソース機器としてのＢＤレコーダー１１並びにＳＴＢ１２はそれぞれ、ＨＤＭＩ送信部１１ｂ又は１２ｂから非圧縮画像データを送信する際に、そのダイナミックレンジ変換定義情報を情報送信部１１ｄ又は１２ｇから伝送する。このような場合、ＨＤＭＩシンク機器側では、受信した非圧縮画像データに対して、ダイナミックレンジ変換定義情報に基づいてダイナミックレンジ逆変換を行なうことで、元の標準輝度以上のダイナミックレンジを持つ画像を画面表示することができる。
【００４６】
画像データのダイナミックレンジ変換を行なう方法として、ニー（Ｋｎｅｅ）変換が広く知られている（例えば、特許文献３を参照のこと）。ダイナミックレンジを圧縮する際にはニー圧縮を行ない、元の高いダイナミックレンジに復元する際にはニー伸長を行なう。ニー圧縮時には、ニー・ポイントと呼ばれる所定の輝度レベルを超える輝度信号については入出力特性の傾きを小さくするようにして、ダイナミックレンジを圧縮する。ニー・ポイントは、所望する最大輝度レベルよりも低く設定する。また、小さくした入出力特性の傾きは、ニー・スロープと呼ばれる。ニー伸長時には上記と逆の処理を行なえばよい。ダイナミックレンジ変換定義情報は、ニー変換などによるダイナミックレンジ変換に必要なパラメーターを含んだ情報である。
【００４７】
例えば、本出願人に既に譲渡されている特願２０１３−２４６８７６号明細書には、ＨＤＭＩソース機器からＨＤＭＩシンク機器へ、ダイナミックレンジ変換された非圧縮画像データを、そのダイナミックレンジ変換定義情報とともに伝送するＡＶシステムについて開示されている。
【００４８】
［ＨＤＭＩ伝送路の構成例］
図２には、図１に示したＡＶシステム１０における、ＢＤレコーダー１１のＨＤＭＩ送信部１１ｂと、テレビ受信機１３のＨＤＭＩ受信部１３ｂの構成例を示している。なお、図２では、ＢＤレコーダー１１とテレビ受信機１３間のＨＤＭＩ送信部１１ｂとＨＤＭＩ受信部１３ｂの例で構成を説明したが、もう一方のＨＤＭＩソース機器及びＨＤＭＩシンク機器に組み合わせである、ＳＴＢ１２のＨＤＭＩ送信部１２ｂとＨＤＭＩ受信部１３ｇの内部構成も同様となる。
【００４９】
ＨＤＭＩは、物理層には、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ：遷移時間最短差動信号伝送方式）を使用する高速なデジタル・データ伝送インターフェースである。図２に示す例では、ＨＤＭＩケーブル１４は、Ｒ（Ｒｅｄ：赤）／Ｇ（Ｇｒｅｅｎ：緑）／Ｂ（Ｂｌｕｅ：青）という３種類の画像信号伝送用の３つのＴＤＭＳチャネル＃０、＃１、＃２と、リファレンス・クロック信号伝送の１本のＴＭＤＳクロック・チャネルの合計４チャネルで構成される。また、図３には、ＴＤＭＳチャネル＃０、＃１、＃２において、横×縦が１９２０ピクセル×１０８０ラインの画像データが伝送される場合の、各種の伝送データの区間を示している。
【００５０】
ＨＤＭＩ送信部１１ｂは、一の垂直同期信号から次の垂直同期信号までの区間から、水平帰線区間２２及び垂直帰線区間２３を除いた区間である有効画像区間２１（以下、適宜、アクティブ・ビデオ区間ともいう）において、非圧縮の１画面分の画像の画素データに対応する差動信号を、複数のチャネルで、ＨＤＭＩ受信部１３ｂに一方向に送信する。また、ＨＤＭＩ送信部１１ｂは、水平帰線区間２２又は垂直帰線区間２３において、少なくとも画像に付随する音声データや制御データ、その他の補助データなどに対応する差動信号を、複数のチャネルで、ＨＤＭＩ受信部１３ｂに一方向に送信する。
【００５１】
ＨＤＭＩ送信部１１ｂは、一の垂直同期信号から次の垂直同期信号までの区間から、水平帰線区間２２及び垂直帰線区間２３を除いた区間である有効画像区間２１（以下、適宜、アクティブ・ビデオ区間ともいう）において、非圧縮の１画面分の画像の画素データに対応する差動信号を、複数のＴＭＤＳチャネル＃０〜＃２で、ＨＤＭＩ受信部１３ｂに一方向に送信する。また、ＨＤＭＩ送信部１１ｂは、水平帰線区間２２又は垂直帰線区間２３において、少なくとも画像に付随する音声データや制御データ、その他の補助データなどに対応する差動信号を、複数のＴＭＤＳチャネル＃０〜＃２で、ＨＤＭＩ受信部１３ｂに一方向に送信する。
【００５２】
ＨＤＭＩ送信部１１ｂは、ＨＤＭＩトランスミッター３１を備えている。ＨＤＭＩトランスミッター３１は、例えば、非圧縮の画像の画素データを対応する差動信号に変換し、複数のチャネルである３つのＴＭＤＳチャネル＃０、＃１、＃２で、ＨＤＭＩ受信部１３ｂに、一方向にシリアル伝送する。
【００５３】
また、ＨＤＭＩトランスミッター３１は、非圧縮の画像に付随する音声データ、さらには、必要な制御データその他の補助データなどを、対応する差動信号に変換し、３つのＴＭＤＳチャネル＃０、＃１、＃２で、ＨＤＭＩ受信部１３ｂに一方向にシリアル伝送する。さらに、ＨＤＭＩトランスミッター３１は、３つのＴＭＤＳチャネル＃０、＃１、＃２で送信する画素データに同期したピクセル・クロックを、ＴＭＤＳクロック・チャネルで、ＨＤＭＩ受信部１３ｂに送信する。ここで、１つのＴＭＤＳチャネル＃ｉ（ｉ＝０，１，２）では、ピクセル・クロックの１クロックの間に、１０ビットの画素データが送信される。
【００５４】
ＨＤＭＩ受信部１３ｂは、アクティブ・ビデオ区間２１において、複数のチャネルで、ＨＤＭＩ送信部１１ｂから一方向に送信されてくる、画素データに対応する差動信号を受信する。また、ＨＤＭＩ受信部１３ｂは、水平帰線区間２２又は垂直帰線区間２３において、複数のチャネルで、ＨＤＭＩ送信部１１ｂから一方向に送信されてくる、音声データや制御データに対応する差動信号を受信する。
【００５５】
すなわち、ＨＤＭＩ受信部１３ｂは、ＨＤＭＩレシーバー３２を有する。ＨＤＭＩレシーバー３２は、ＴＭＤＳチャネル＃０、＃１、＃２で、ＨＤＭＩケーブル１５を介して接続されているＨＤＭＩ送信部１１ｂから一方向に送信されてくる、画素データに対応する差動信号と、音声データや制御データに対応する差動信号を、受信する。この際、同じくＨＤＭＩ送信部１１ｂからＴＭＤＳクロック・チャネルで送信されてくるピクセル・クロックに同期して受信する。
【００５６】
ＨＤＭＩ送信部１１ｂとＨＤＭＩ受信部１３ｂとからなるＨＤＭＩシステムの伝送チャネルには、画素データ及び音声データを伝送するための伝送チャネルとしての３つのＴＭＤＳチャネル＃０、＃１、＃２と、ピクセル・クロックを伝送する伝送チャネルとしてのＴＭＤＳクロック・チャネルの他に、ＤＤＣ（Ｄｉｓｐｌａｙ  Ｄａｔａ  Ｃｈａｎｎｅｌ）３３やＣＥＣ（Ｃｏｎｓｕｍｅｒ  Ｅｌｅｃｔｒｏｎｉｃｓ  Ｃｏｎｔｒｏｌ）ライン３４と呼ばれる伝送チャネルがある。ＨＤＭＩ送信部１２ｂとＨＤＭＩ受信部１３ｇとからなるＨＤＭＩシステムの伝送チャネルについても同様である。
【００５７】
ＤＤＣ３３は、ＨＤＭＩケーブル１４に含まれる１本の信号線からなり、ＨＤＭＩ送信部１１ｂが、ＨＤＭＩケーブル１４を介して接続されたＨＤＭＩ受信部１３ｂから、Ｅ−ＥＤＩＤ（Ｅｎｈａｎｃｅｄ  Ｅｘｔｅｎｄｅｄ  Ｄｉｓｐｌａｙ  Ｉｄｅｎｔｉｆｉｃａｔｉｏｎ  Ｄａｔａ）を読み出すために使用される。すなわち、ＨＤＭＩ受信部１３ｂは、ＨＤＭＩレシーバー３２の他に、自身の性能（Ｃｏｎｆｉｇｕｒａｔｉｏｎ  Ｃａｐａｂｉｌｉｔｙ）に関する性能情報であるＥ−ＥＤＩＤを記憶している、ＥＤＩＤ  ＲＯＭ（Ｒｅａｄ  Ｏｎｌｙ  Ｍｅｍｏｒｙ）を備えている。
【００５８】
ＨＤＭＩ送信部１１ｂは、ＨＤＭＩケーブル１４を介して接続されているＨＤＭＩ受信部１３ｂから、当該ＨＤＭＩ受信部１３ｂのＥ−ＥＤＩＤを、ＤＤＣ３３を介して読み出す。そして、ＨＤＭＩ送信部１１ｂは、そのＥ−ＥＤＩＤに基づいて、ＨＤＭＩ受信部１３ｂの性能の設定、すなわち、例えば、ＨＤＭＩ受信部１３ｂを有するＨＤＭＩシンク機器１３が対応している画像のフォーマット（プロファイル）、例えば、ＲＧＢ、ＹＣｂＣｒ４：４：４、ＹＣｂＣｒ４：２：２などを認識する。
【００５９】
ＣＥＣライン３４は、ＨＤＭＩケーブル１４に含まれる１本の信号線からなり、ＨＤＭＩ送信部１１ｂとＨＤＭＩ受信部１３ｂとの間で、制御用のデータの双方向通信を行なうために用いられる。
【００６０】
また、ＨＤＭＩケーブル１４には、ＨＰＤ（Ｈｏｔ  Ｐｌｕｇ  Ｄｅｔｅｃｔ）と呼ばれる１９ピンに接続されるＨＰＤ／Ｅｔｈｅｒ＋ライン３５が含まれている。ＢＤレコーダー１１（ＨＤＭＩソース機器）は、ＨＰＤ／Ｅｔｈｅｒ＋ライン３５を利用して、直流バイアス電位により、テレビ受信機１３などのＨＤＭＩシンク機器の接続を検出することができる。この場合、ＨＰＤライン／Ｅｔｈｅｒ＋３５は、ＨＤＭＩソース機器側から見ると、直流バイアス電位によってＨＤＭＩシンク機器から接続状態の通知を受ける機能を備えるものとなる。一方、ＨＤＭＩシンク機器側から見ると、ＨＰＤライン３５は、直流バイアス電位によってＨＤＭＩソース機器に接続状態を通知する機能を備えるものとなる。
【００６１】
また、ＨＤＭＩケーブル１４−１には、ＨＤＭＩソース機器からＨＤＭＩシンク機器に電源を供給するために用いられる電源ライン３６が含まれている。
【００６２】
さらに、ＨＤＭＩケーブル１４には、空き（Ｒｅｓｅｒｖｅ）の１４ピンに接続されるリザーブ／Ｅｔｈｅｒ−ライン３７が含まれている。ＨＰＤ／Ｅｔｈｅｒ＋ライン３５とリザーブ／Ｅｔｈｅｒ−ライン３７を用いて、一対の差動伝送路を構成し、高速なＬＡＮ（Ｌｏｃａｌ  Ａｒｅａ  Ｎｅｔｗｏｒｋ）通信が可能な双方向通信路すなわち高速バス（Ｈｉｇｈ  ｓｐｅｅｄ  Ｅｔｈｅｒ  Ｃｈａｎｎｅｌ：ＨＥＣ）として用いる場合もある。ＢＤレコーダー１１側の高速バス・インターフェース（後述）とテレビ受信機１３側の対応する高速バス・インターフェース（後述）間で、このような高速バス（ＨＥＣライン）を介した高速データ通信を行なうことができる。同様に、ＳＴＢ１２側の高速バス・インターフェース（後述）とテレビ受信機１３側の対応する高速バス・インターフェース（後述）間でも、高速バス（ＨＥＣライン）を介した高速データ通信を行なうことができる。
【００６３】
［ＴＭＤＳチャネルの構成例］
ここで、図３に示したＴＤＭＳ伝送データの区間について、詳細に説明しておく。ＨＤＭＩの３つのＴＭＤＳチャネル＃０、＃１、＃２で伝送データが伝送されるビデオ・フィールド（Ｖｉｄｅｏ  Ｆｉｅｌｄ）には、伝送データの種類に応じて、図中で左上がり斜線で塗り潰して示したビデオ・データ区間２４（Ｖｉｄｅｏ  Ｄａｔａ  Ｐｅｒｉｏｄ）、左下がり斜線で塗り潰して示したデータ・アイランド区間２５（Ｄａｔａ  Ｉｓｌａｎｄ  Ｐｅｒｉｏｄ）、及び、ドット柄で塗り潰して示したコントロール区間２６（Ｃｏｎｔｒｏｌ  Ｐｅｒｉｏｄ）の３種類の区間が存在する。
【００６４】
ここで、ビデオ・フィールド区間は、ある垂直同期信号の立ち上がりエッジ（Ａｃｔｉｖｅ  Ｅｄｇｅ）から次の垂直同期信号の立ち上がりエッジまでの区間であり、水平帰線期間２２（Ｈｏｒｉｚｏｎｔａｌ  Ｂｌａｎｋｉｎｇ）、垂直帰線期間２３（Ｖｅｒｔｉｃａｌ  Ｂｌａｎｋｉｎｇ）、並びに、ビデオ・フィールド区間から水平帰線期間及び垂直帰線期間を除いた区間である有効画素区間２１（Ａｃｔｉｖｅ  Ｖｉｄｅｏ）に分けられる。
【００６５】
ビデオ・データ区間２４は、有効画素区間２１に割り当てられる。このビデオ・データ区間２４では、非圧縮の１画面分の画像データを構成する１９２０ピクセル（画素）×１０８０ライン分の有効画素（Ａｃｔｉｖｅ  Ｐｉｘｅｌ）のデータが伝送される。一方、データ・アイランド区間２５及びコントロール区間２６は、水平帰線期間２２及び垂直帰線期間２３に割り当てられる。このデータ・アイランド区間２５及びコントロール区間２６では、補助データ（Ａｕｘｉｌｉａｒｙ  Ｄａｔａ）が伝送される。
【００６６】
すなわち、データ・アイランド区間２５は、水平帰線期間２２と垂直帰線期間２３の一部分に割り当てられている。このデータ・アイランド区間２５では、補助データのうち、制御に関係しないデータである、例えば、音声データのパケットなどが伝送される。また、コントロール区間２６は、水平帰線期間２２と垂直帰線期間２３の他の部分に割り当てられている。このコントロール区間２６では、補助データのうちの、制御に関係するデータである、例えば、垂直同期信号及び水平同期信号、制御パケットなどが伝送される。
【００６７】
［ＢＤレコーダーの構成例］
図４には、ＨＤＭＩソース機器としてのＢＤレコーダー１１の構成例を示している。図示のＢＤレコーダー１１は、ＨＤＭＩ端子１１ａと、ＨＤＭＩ送信部１１９と、高速バス・インターフェース１２０を備えている。ここで、ＨＤＭＩ送信部１１９は、図１に示したＨＤＭＩ送信部１１ｂに対応した構成である場合と、ＨＤＭＩ送信部１１ｂに制御受信部１１ｃを含めた構成を備える場合がある。
【００６８】
また、ＢＤレコーダー１１は、ＣＰＵ（Ｃｅｎｔｒａｌ  Ｐｒｏｃｅｓｓｉｎｇ  Ｕｎｉｔ）１０１と、内部バス１０２と、フラッシュＲＯＭ（Ｒｅａｄ  Ｏｎｌｙ  Ｍｅｍｏｒｙ）１０３と、ＳＤＲＡＭ（Ｓｙｎｃｈｒｏｎｏｕｓ  Ｒａｎｄｏｍ  Ａｃｃｅｓｓ  Ｍｅｍｏｒｙ）１０４と、リモコン受信部１０５と、リモコン送信機１０６を備えている。
【００６９】
また、ＢＤレコーダー１１は、記憶媒体制御インターフェース１０７と、ＢＤ（Ｂｌｕ−Ｒａｙ  Ｄｉｓｃ）ドライブ１０８、ＨＤＤ（Ｈａｒｄ  Ｄｉｓｋ  Ｄｒｉｖｅ）ドライブ１０９、又はＳＳＤ（Ｓｏｌｉｄ  Ｓｔａｔｅ  Ｄｉｓｃ）１１８の少なくとも１つの記録媒体を備えている。記録媒体としてＢＤドライブ１０８又はＨＤＤ１０９を装備する場合、記録媒体制御インターフェース１０７としてＳＡＴＡ（Ｓｅｒｉａｌ  Ａｄｖａｎｃｅｄ  Ｔｅｃｈｎｏｌｏｇｙ  Ａｔｔａｃｈｍｅｎｔ）インターフェースを備える。また、記録媒体としてＳＳＤ１１８を装備する場合、記録媒体インターフェース１０７として、ＰＣＩ（Ｐｅｒｉｐｈｅｒａｌ  Ｃｏｍｐｏｎｅｎｔ  Ｉｎｔｅｒｃｏｎｎｅｃｔ）  Ｅｘｐｒｅｓｓを用いてもよい。
【００７０】
また、ＢＤレコーダー１１は、ＭＰＥＧ（Ｍｏｖｉｎｇ  Ｐｉｃｔｕｒｅ  Ｅｘｐｅｒｔ Ｇｒｏｕｐ）デコーダー１１０と、グラフィック生成回路１１１と、画像出力端子１１２と、音声出力端子１１３を備えている。
【００７１】
また、ＢＤレコーダー１１は、表示制御部１１４と、パネル駆動回路１１５と、表示パネル１１６と、電源部１１７を備えていてもよい。高速バス・インターフェース１２０、ＣＰＵ１０１、フラッシュＲＯＭ１０３、ＳＤＲＡＭ１０４、リモコン受信部１０５、記憶媒体制御インターフェース１０７及びＭＰＥＧデコーダー１１０は、内部バス１０２に接続されている。ＨＤＭ送信部１１９と高速バス・インターフェース１２０は、ＨＤＭＩ端子１１ａに接続されている。
【００７２】
ＣＰＵ１０１は、ＢＤレコーダー１１の各部の動作を制御する。フラッシュＲＯＭ１０３は、制御ソフトウェアの格納及びデータの保管を行なう。ＳＤＲＡＭ１０４は、ＣＰＵ１０１のワークエリアを構成する。ＣＰＵ１０１は、フラッシュＲＯＭ１０３から読み出したソフトウェアやデータをＳＤＲＡＭ１０４上に展開してソフトウェアを起動させ、ＢＤレコーダー１１の各部を制御する。
【００７３】
リモコン受信部１０５は、リモコン送信機１０６から送信されたリモート・コントロール信号（リモコン・コード）を受信し、ＣＰＵ１０１に供給する。ＣＰＵ１０１は、リモコン・コードに従ってＢＤレコーダー１１の各部を制御する。なお、図示の例では、ＢＤレコーダー１１はユーザー指示入力部としてリモコン送信機１０６を備えているが、ＢＤレコーダー１１のユーザー指示入力部は、その他の構成、例えば、スイッチ、ホイール、近接／タッチにより指示入力を行なうタッチパネル部、マウス、キーボード、カメラで指示入力を検出するジェスチャー入力部、音声により指示入力を行なう音声入力部など（いずれも図示しない）であってもよい。
【００７４】
ＢＤドライブ１０８は、ディスク状記録メディアとしてのＢＤディスク（図示しない）に対してコンテンツ・データを記録し、あるいは、このＢＤからコンテンツ・データを再生する。このＢＤドライブ１０８は、記録媒体制御インターフェース１０７を介して内部バス１０２に接続されている。また、ＨＤＤドライブ１０９は、ＨＤＤに対してコンテンツ・データを記録し、あるいは、このＨＤＤからコンテンツ・データを再生する。このＨＤＤドライブ１０９は、記録媒体制御インターフェース１０７を介して内部バス１０２に接続されている。また、ＳＳＤ１１８は、コンテンツ・データを記録し、あるいは、このＳＳＤ１１８からコンテンツ・データを再生する。このＳＳＤ１１８は、記録媒体制御インターフェース１０７を介して内部バス１０２に接続されている。ＭＰＥＧデコーダー１１０は、ＢＤドライブ１０８、ＨＤＤドライブ１０９、又はＳＳＤ１１８で再生されたＭＰＥＧ２ストリームに対してデコード処理を行なって画像及び音声のデータを得る。
【００７５】
グラフィック生成回路１１１は、ＭＰＥＧデコーダー１１０で得られた画像データに対して、必要に応じてグラフィックス・データの重畳処理などを行なう。画像出力端子１１２は、グラフィック生成回路１１１から出力される画像データを出力する。音声出力端子１１３は、ＭＰＥＧデコーダー１１０で得られた音声データを出力する。
【００７６】
パネル駆動回路１１５は、グラフィック生成回路１１１から出力される画像データに基づいて、表示パネル１１６を駆動する。表示制御部１１４は、グラフィクス生成回路１１１やパネル駆動回路１１５を制御して、表示パネル１１６における表示を制御する。表示パネル１１６は、例えば、ＬＣＤ（Ｌｉｑｕｉｄ  Ｃｒｙｓｔａｌ  Ｄｉｓｐｌａｙ）、有機ＥＬ（Ｏｒｇａｎｉｃ  Ｅｌｅｃｔｒｏ−Ｌｕｍｉｎｅｓｃｅｎｃｅ）パネルなどで構成されている。
【００７７】
なお、図４では、ＣＰＵ１０１の他に表示制御部１１４を備える構成例を示しているが、表示パネル１１６における表示をＣＰＵ１０１が直接制御するようにしてもよい。また、ＣＰＵ１０１と表示制御部１１４は、１つのチップになっていても、複数コアであってもよい。電源部１１７は、ＢＤレコーダー１１の各部に電源を供給する。この電源部１１７は、ＡＣ電源であっても、電池（蓄電池、乾電池）であってもよい。
【００７８】
ＨＤＭＩ送信部（ＨＤＭＩソース機器）１１９は、ＨＤＭＩに準拠した通信により、ベースバンド画像と音声のデータを、ＨＤＭＩ端子１１ａからテレビ受信機１３（ＨＤＭＩシンク機器）に送出する。
【００７９】
高速バス・インターフェース１２０は、ＨＤＭＩケーブル１４−１に含まれている所定ラインを用いて構成される双方向通信路（本実施形態においては、図２に示したＨＰＤ／Ｅｔｈｅｒ＋ライン３５とリザーブ／Ｅｔｈｅｒ−ライン３７を用いた一対の差動伝送路で構成されるＨＥＣライン）を介して、テレビ受信機１３（ＨＤＭＩシンク機器）側の高速バス・インターフェース１３ｃとの間で高速データ通信を行なう双方向通信路のインターフェースである。
【００８０】
この高速バス・インターフェース１２０は、内部バス１０２とＨＤＭＩ端子１１ａとの間に挿入されている。この高速バス・インターフェース１１ｃは、ＣＰＵ１０１から供給される送信データを、ＨＤＭＩ端子１１ａからＨＤＭＩケーブル１４を介して相手側の機器（ＨＤＭＩシンク機器）に送信する。また、この高速バス・インターフェース１１ｃは、ＨＤＭＩケーブル１４−１からＨＤＭＩ端子１１ａを介して相手側の機器（ＨＤＭＩシンク機器）から受信した受信データをＣＰＵ１０１に供給する。高速バス・インターフェース１２０は、図１中の制御受信部１１ｃとして利用される場合もある。
【００８１】
図４に示したＢＤレコーダー１１の動作を簡単に説明する。記録時には、図示されないデジタル・チューナーを介して、あるいはＨＤＭＩ端子１１ａから高速バス・インターフェース１２０を介して、記録すべきコンテンツ・データが取得される。このコンテンツ・データは、記録媒体制御インターフェース１０７に入力され、ＢＤドライブ１０８によりＢＤメディアに記録され、又はＨＤＤドライブ１０９やＳＳＤ１１８に記録される。
【００８２】
一方、再生時には、ＢＤドライブ１０８によりＢＤメディアから再生され、又はＨＤＤドライブ１０９やＳＳＤ１１８から再生されたコンテンツ・データ（ＭＰＥＧストリーム）は、記録媒体制御インターフェース１０７を介してＭＰＥＧデコーダー１１０に供給される。ＭＰＥＧデコーダー１１０では、再生されたコンテンツ・データに対してデコード処理が行なわれ、ベースバンドの画像及び音声のデータが得られる。画像データは、グラフィック生成回路１１１を通じて画像出力端子１１２から外部に出力される。また、音声データは、音声出力端子１１３から外部に出力される。
【００８３】
また、再生時には、ＭＰＥＧデコーダー１１０で得られた画像データが、ユーザー操作に応じて、グラフィック生成回路１１１を通じてパネル駆動回路１１５に供給され、表示パネル１１６に再生画像が表示される。また、ＭＰＥＧデコーダー１１０で得られた音声データが、ユーザー操作に応じて、図示しないスピーカーに供給され、再生画像に対応した音声が出力される。
【００８４】
また、この再生時に、ＭＰＥＧデコーダー１１０で得られた画像及び音声のデータをＨＤＭＩのＴＭＤＳチャネルで送信する場合には、これら画像及び音声のデータは、ＨＤＭＩ送信部１１９に供給されてパッキングされ、このＨＤＭＩ送信部１１９からＨＤＭＩ端子１１ａに出力される。
【００８５】
なお、ＢＤドライブ１０８、ＨＤＤドライブ１０９、又はＳＳＤ１１８から読み出された圧縮コンテンツ・データをＨＤＭＩケーブル１４−１の双方向通信路に送出する際には、当該圧縮コンテンツ・データは、高速バス・インターフェース１２０を介して、ＨＤＭＩ端子１１９に出力される。ここで、圧縮コンテンツ・データを出力する前に、著作権保護技術、例えばＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）、ＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）、ＤＴＣＰ＋などを用いて暗号化してから伝送してもよい。
【００８６】
本明細書では、本明細書で開示する技術を適用したＡＶシステムに利用可能なＨＤＭＩソース機器として、ＢＤレコーダー１１やＳＴＢ１２を挙げたが、ＢＤ以外のディスク・レコーダー、ディスク・プレーヤー、ゲーム機、ＮＡＳ（Ｎｅｔｗｏｒｋ  Ａｔｔａｃｈｅｄ  Ｓｔｏｒａｇｅ）、デジタルビデオカメラなど、非圧縮画像データを送出するその他のさまざまなタイプのＨＤＭＩ対応機器を利用することができる。
【００８７】
［テレビ受信機の構成例］
図５には、ＨＤＭＩシンク機器としてのテレビ受信機１３の構成例を示している。このテレビ受信機１３は、ＨＤＭＩ端子１３ａと１３ｆと、ＨＤＭＩ受信部２２０と２２２と、高速バス・インターフェース２２１と２２３とを備えている。
【００８８】
また、テレビ受信機１３は、アンテナ端子２０１と、デジタル・チューナー２０２と、ＭＰＥＧデコーダー２０３と、画像信号処理回路２０４と、グラフィック生成回路２０５と、パネル駆動回路２０６と、表示パネル２０７を備えている。
【００８９】
また、テレビ受信機１３は、音声信号処理回路２０８と、音声増幅回路２０９と、スピーカー２１０と、内部バス２１１と、ＣＰＵ２１２と、フラッシュＲＯＭ２１３と、ＳＤＲＡＭ２１４とを備えている。また、テレビ受信機１３は、ワイヤレス送受信部２１７と、リモコン受信部２１５と、リモコン送信機２１６とを備えている。また、テレビ受信機１３は、表示制御部２１８と、電源部２１９を備えている。
【００９０】
アンテナ端子２０１は、受信アンテナ（図示しない）で受信されたテレビ放送信号を入力する端子である。デジタル・チューナー２０２は、アンテナ端子２０１に入力されたテレビ放送信号を処理して、ユーザーの選択チャネルに対応した所定のトランスポート・ストリームから、パーシャルＴＳ（Ｔｒａｎｓｐｏｒｔ  Ｓｔｒｅａｍ）（画像データのＴＳパケット、音声データのＴＳパケット）を抽出する。
【００９１】
また、デジタル・チューナー２０２は、得られたトランスポート・ストリームから、ＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）を取り出し、ＣＰＵ２１２に出力する。デジタル・チューナー２０２で得られた複数のトランスポート・ストリームから任意のチャネルのパーシャルＴＳを抽出する処理は、ＰＳＩ／ＳＩ（ＰＡＴ／ＰＭＴ）から当該任意のチャネルのパケットＩＤ（ＰＩＤ）の情報を得ることで可能となる。
【００９２】
ＭＰＥＧデコーダー２０３は、デジタル・チューナー２０２で得られる画像データのＴＳパケットにより構成される画像ＰＥＳ（Ｐａｃｋｅｔｉｚｅｄ  Ｅｌｅｍｅｎｔａｒｙ  Ｓｔｒｅａｍ）パケットに対してデコード処理を行なって画像データを得る。また、ＭＰＥＧデコーダー２０３は、デジタル・チューナー２０２で得られる音声データのＴＳパケットにより構成される音声ＰＥＳパケットに対してデコード処理を行なって音声データを得る。
【００９３】
画像信号処理回路２０４及びグラフィック生成回路２０５は、ＭＰＥＧデコーダー２０３で得られた画像データ、あるいはＨＤＭＩ受信部２２０又は２２２で受信された画像データに対して、必要に応じてスケーリング処理（解像度変換処理）、ダイナミックレンジ調整処理、グラフィックス・データの重畳処理などを行なう。ダイナミックレンジ調整処理を行なう際には、画像データの送信元であるＨＤＭＩソース機器（ＢＤレコーダー１１又はＳＴＢ１２）、デジタル・チューナー２０２、あるいはワイヤレス送受信部２１７から受信した画像データ及びダイナミックレンジ変換定義情報に基づいてダイナミックレンジ逆変換を行なうものとする。
【００９４】
なお、ＨＤＭＩ受信部２２０又は２２２のうちいずれを画像信号処理回路２０４への入力とするか、すなわち、ＨＤＭＩ入力切換え（図１中の選択部１３ｋに相当する処理動作）は、例えばＣＰＵ２１２がユーザー操作部（図示しない）に対するユーザーの操作に応じて画像信号処理回路２０４に対して指示するものとする。
【００９５】
パネル駆動回路２０６は、グラフィック生成回路２０５から出力される画像（画像）データに基づいて、表示パネル２０７を駆動する。表示制御部２１８は、グラフィクス生成回路２０５やパネル駆動回路２０６を制御して、表示パネル２０７における表示を制御する。表示パネル２０７は、例えば、ＬＣＤ、有機ＥＬパネルなどで構成されている。
【００９６】
なお、図５では、ＣＰＵ２１２の他に表示制御部２１８を備える例を示しているが、表示パネル２０７における表示をＣＰＵ２１２が直接制御するように構成してもよい。また、ＣＰＵ２１２と表示制御部２１８は、１つのチップになっていても、複数コアであってもよい。電源部２１９は、テレビ受信機１３の各部に電源を供給する。この電源部２１９は、ＡＣ電源であっても、電池（蓄電池、乾電池）であってもよい。
【００９７】
音声信号処理回路２０８はＭＰＥＧデコーダー２０３で得られた音声データに対してＤ／Ａ変換などの必要な処理を行なう。音声増幅回路２０９は、音声信号処理回路２０８から出力される音声信号を増幅してスピーカー２１０に供給する。なお、スピーカー２１０は、モノラルでもステレオでもよい。また、スピーカー２１０は、１つでもよく、２つ以上でもよい。また、スピーカー２１０は、イヤホン、ヘッドホンでもよい。また、スピーカー２１０は、２．１チャネルや、５．１チャネルなどに対応するものであってもよい。また、スピーカー２１０は、テレビ受信機１３と無線で接続してもよい。また、スピーカー２１０は、テレビ受信機１３に外部接続される他機器であってもよい。
【００９８】
ＣＰＵ２１２は、テレビ受信機１３の各部の動作を制御する。フラッシュＲＯＭ２１３は、制御ソフトウェアの格納及びデータの保管を行なう。ＳＤＲＡＭ２１４は、ＣＰＵ２１２のワークエリアを構成する。ＣＰＵ２１２は、フラッシュＲＯＭ２１３から読み出したソフトウェアやデータをＳＤＲＡＭ２１４上に展開してソフトウェアを起動させ、テレビ受信機１３の各部を制御する。
【００９９】
リモコン受信部２１５は、リモコン送信機２１６から送信されたリモート・コントロール信号（リモコン・コード）を受信し、ＣＰＵ２１２に供給する。ＣＰＵ２１２は、このリモコン・コードに基づいて、テレビ受信機１３の各部を制御する。なお、図５に示した例では、ユーザー指示入力部としてリモコン送信機２１６を示しているが、テレビ受信機１３のユーザー指示入力部は、その他の構成、例えば、近接／タッチにより指示入力を行なうタッチパネル部、マウス、キーボード、カメラで指示入力を検出するジェスチャー入力部、音声により指示入力を行なう音声入力部（いずれも図示しない）などであってもよい。
【０１００】
高速バス・インターフェース２２１と２２３、ＣＰＵ２１２、フラッシュＲＯＭ２１３、ＳＤＲＡＭ２１４、ワイヤレス送受信回路２１７、ＭＰＥＧデコーダー２０３及び表示制御部２１８は、内部バス２１１に接続されている。また、高速バス・インターフェース２２１とＨＤＭＩ受信部２２０はＨＤＭＩ端子１３ａに接続され、高速バス・インターフェース２２３とＨＤＭＩ受信部２２２はＨＤＭＩ端子１３ｆに接続されている。
【０１０１】
ＨＤＭＩ受信部（ＨＤＭＩシンク機器）２２０と２２２は、ＨＤＭＩに準拠した通信により、それぞれＨＤＭＩケーブル１４−１／１４−２を介してＨＤＭＩ端子１３ａと１３ｆに供給される非圧縮画像音声データを受信する。ここで、ＨＤＭＩ受信部２２０は、図１に示したＨＤＭＩ受信部１３ｂに対応した構成である場合と、ＨＤＭＩ受信部１３ｂに制御送信部１３ｃを含めた構成を備える場合がある。また、ＨＤＭＩ受信部２２２は、図１に示したＨＤＭＩ受信部１３ｇに対応した構成である場合と、ＨＤＭＩ受信部１３ｇに制御送信部１３ｈを含めた構成を備える場合がある。
【０１０２】
高速バス・インターフェース２２１と２２３は、上述したＢＤレコーダー１１の高速バス・インターフェース１２０と同様に、ＨＤＭＩケーブル１４−１並びに１４−２にそれぞれ含まれている所定ラインを用いて構成される双方向通信路（本実施形態においては、図２に示したＨＰＤ／Ｅｔｈｅｒ＋ライン３５とリザーブ／Ｅｔｈｅｒ−ライン３７を用いた一対の差動伝送路で構成されるＨＥＣライン）を介して、ＢＤレコーダー１１とＳＴＢ１２側の高速バス・インターフェース１１ｃと１２ｃの各々との間で高速データ通信を行なう双方向通信路のインターフェースである。この高速バス・インターフェース２２１と２２３は、内部バス２１１とＨＤＭＩ端子１３ａ又は１３ｆとの間にそれぞれ挿入されている。高速バス・インターフェース２２１と２２３は、それぞれ図１中の制御送信部１３ｃ、１３ｈとして利用される場合もある。
【０１０３】
この高速バス・インターフェース２２１と２２３は、ＣＰＵ２１２から供給される送信データを、ＨＤＭＩ端子１３ａ又は１３ｆからＨＤＭＩケーブル１４−１又は１４−２を介して相手側の機器（ＨＤＭＩソース機器）に送信する。また、この高速バス・インターフェース２２１と２２３は、ＨＤＭＩケーブル１４−１又は１４−２からＨＤＭＩ端子１３ａ又は１３ｆを介して相手側の機器（ＨＤＭＩソース機器）から受信した伝送データをＣＰＵ２１２に供給する。
【０１０４】
なお、例えば、受信した圧縮コンテンツ・データをＨＤＭＩケーブル１４−１／１４−２の双方向通信路を介して送受信する際には、当該圧縮コンテンツ・データは、高速バス・インターフェース２２１又は２２３を介して、ＨＤＭＩ端子１３ａ又は１３ｆで入出力される。ここで、圧縮コンテンツ・データを出力する前に、著作権保護技術、例えばＨＤＣＰ、ＤＴＣＰ、ＤＴＣＰ＋などを用いて暗号化してから伝送してもよい。
【０１０５】
ワイヤレス送受信部２１７は、内部バス２１１を介してＣＰＵ２１２と外部機器とのワイヤレス通信を行なう。ワイヤレス送受信部２１７は、例えばＷｉ−Ｆｉ（登録商標）（Ｗｉｒｅｌｅｓｓ  Ｆｉｄｅｌｉｔｙ）、Ｂｌｕｅｔｏｏｔｈ（登録商標）通信やＢＬＥ（Ｂｌｕｅｔｏｏｔｈ（登録商標）  Ｌｏｗ  Ｅｎｅｒｇｙ）通信などのワイヤレス通信規格に則って、ワイヤレス通信を行なう。
【０１０６】
なお、テレビ受信機１３は、ＩＰＴＶなどで配信される画像音声データを受信する場合もある。例えば、テレビ受信機１３は、Ｅｔｈｅｒｎｅｔ（登録商標）回路並びにＥｔｈｅｒｎｅｔ（登録商標）端子を、ワイヤレス送受信部２１７の代わりに（あるいは、ワイヤレス送受信部２１７とともに）具備しても、同様の機能を実現することができる。
【０１０７】
図５に示すテレビ受信機１３の動作を簡単に説明する。アンテナ端子２０１に入力されたテレビ放送信号はデジタル・チューナー２０２に供給される。このデジタル・チューナー２０２では、テレビ放送信号を処理して、ユーザーの選択チャネルに対応した所定のトランスポート・ストリームが出力され、トランスポート・ストリームから、パーシャルＴＳ（画像データのＴＳパケット、音声データのＴＳパケット）が抽出され、当該パーシャルＴＳはＭＰＥＧデコーダー２０３に供給される。
【０１０８】
ＭＰＥＧデコーダー２０３では、画像データのＴＳパケットにより構成される画像ＰＥＳパケットに対してデコード処理が行なわれて画像データが得られる。この画像データは、画像信号処理回路２０４及びグラフィック生成回路２０５において、必要に応じて、スケーリング処理（解像度変換処理）、ダイナミックレンジ調整処理、グラフィックス・データの重畳処理などが行なわれた後に、パネル駆動回路２０６に供給される。そのため、表示パネル２０７には、ユーザーの選択チャネルに対応した画像が表示される。
【０１０９】
また、ＭＰＥＧデコーダー２０３では、音声データのＴＳパケットにより構成される音声ＰＥＳパケットに対してデコード処理が行なわれて音声データが得られる。この音声データは、音声信号処理回路２０８でＤ／Ａ変換などの必要な処理が行なわれ、さらに、音声増幅回路２０９で増幅された後に、スピーカー２１０に供給される。そのため、スピーカー２１０から、ユーザーの選択チャネルに対応した音声が出力される。
【０１１０】
また、ＨＤＭＩ端子１３ａ又は１３ｆから高速バス・インターフェース２２１又は２２３を介して供給される圧縮コンテンツ・データは、内部バス２１１を経由してＭＰＥＧデコーダー２０３に供給される。以降は、上述したテレビ放送信号の受信時と同様の動作となり、表示パネル２０７に画像が表示され、スピーカー２１０から音声が出力される。
【０１１１】
また、ＨＤＭＩ受信部２２０又は２２２では、ＨＤＭＩ端子１３ａ又は１３ｆにＨＤＭＩケーブル１４−１又は１４−２を介して接続されているＢＤレコーダー１１やＳＴＢ１２などのＨＤＭＩソース機器から送信されてくる、非圧縮画像音声データが取得される。受信した画像データは、画像信号処理回路２０４に供給される。また、受信した音声データは、直接、音声信号処理回路２０８に供給される。以降は、上述したテレビ放送信号の受信時と同様の動作となり、表示パネル２０７に画像が表示され、スピーカー２１０から音声が出力される。
【０１１２】
［ダイナミックレンジ変換定義情報］
ＨＤＭＩソース機器から出力される非圧縮画像データは、標準輝度以上のダイナミックレンジを持つ元画像に対してダイナミックレンジ変換を行ない、標準輝度のダイナミックレンジに圧縮された画像データである場合がある。このような場合、ＨＤＭＩソース機器は、元の非圧縮画像データのダイナミックレンジ変換の処理に使用したダイナミックレンジ変換定義情報を非圧縮データとともに伝送する。一方、ＨＤＭＩシンク機器は、標準輝度よりも明るい画像を表示可能なディスプレイなどである場合には、ダイナミックレンジ変換定義情報に基づいて受信した画像データに対してダイナミックレンジ逆変換を行なうことで、その性能を活かすような画像表示を行なうことができる。
【０１１３】
画像データのダイナミックレンジ変換を行なう方法として、ニー（Ｋｎｅｅ）変換が広く知られている（例えば、特許文献３を参照のこと）。ダイナミックレンジを圧縮する際にはニー圧縮を行ない、元の高いダイナメックレンジに復元する際にはニー伸長を行なう。ニー圧縮時には、ニー・ポイントと呼ばれる所定の輝度レベルを超える輝度信号については入出力特性の傾きを小さくするようにして、ダイナミックレンジを圧縮する。ニー・ポイントは、所望する最大輝度レベルよりも低く設定する。また、小さくした入出力特性の傾きは、ニー・スロープと呼ばれる。ニー伸長時には上記と逆の処理を行なえばよい。ダイナミックレンジ変換定義情報は、ニー変換などによるダイナミックレンジ変換に必要なパラメーターを含んだ情報である。
【０１１４】
図１に示したＡＶシステム１０では、ＢＤレコーダー１１の記憶媒体１１ｆや、ＳＴＢ１２が受信したデジタル放送ストリームから、非圧縮画像データのダイナミックレンジ変換定義情報が読み出される。図６には、非圧縮画像データのダイナミックレンジ変換定義情報である、ＭＰＥＧで定義されている「ｋｎｅｅ＿ｆｕｎｃｔｉｏｎ＿ｉｎｆｏ  ＳＥＩ（Ｓｕｐｐｌｅｍｅｎｔａｌ  Ｅｎｈａｎｃｅｍｅｎｔ  Ｉｎｆｏｒｍａｔｉｏｎ）」のシンタクス例６００を示している。
【０１１５】
このｋｎｅｅ＿ｆｕｎｃｔｉｏｎ＿ｉｎｆｏ６００では、ニー変換ＩＤ（ｋｎｅｅ＿ｆｕｎｃｔｉｏｎ＿ｉｄ）６０１とニー変換キャンセル・フラグ（ｋｎｅｅ＿ｆｕｎｃｔｉｏｎ＿ｃａｎｃｅｌ＿ｆｌａｇ）６０２が設定される。
【０１１６】
ニー変換ＩＤ６０１は、ニー圧縮又はニー伸長であるニー変換の目的に固有のＩＤである。また、ニー変換キャンセル・フラグ６０２は、直前のｋｎｅｅ＿ｆｕｎｃｔｉｏｎ＿ｉｎｆｏの連続性をキャンセルするかどうかを表すフラグである。ニー変換キャンセル・フラグ６０２は、前のｋｎｅｅ＿ｆｕｎｃｔｉｏｎ＿ｉｎｆｏの連続性をキャンセルする場合にはハイ・レベル「１」を設定し、キャンセルしない場合にはロー・レベル「０」を設定する。
【０１１７】
また、ニー変換キャンセル・フラグ６０２がロー・レベル「０」である場合、ｋｎｅｅ＿ｆｕｎｃｔｉｏｎ＿ｉｎｆｏ６００には、ダイナミックレンジ変換定義情報が設定される。このダイナミックレンジ変換定義情報は、持続フラグ（ｋｎｅｅ＿ｆｕｎｃｔｉｏｎ＿ｐｅｒｓｉｓｔｅｎｃｅ＿ｆｌａｇ）６０３と、圧縮伸長フラグ（ｍａｐｐｉｎｇ＿ｆｌａｇ）６０４と、入力画像ダイナミックレンジ情報（ｉｎｐｕｔ＿ｄ＿ｒａｎｇｅ）６０５と、入力画像表示ディスプレイ最大輝度情報（ｉｎｐｕｔ＿ｄｉｓｐ＿ｌｕｍｉｎａｎｃｅ）６０６と、出力画像ダイナミックレンジ情報（ｏｕｔｐｕｔ＿ｄ＿ｒａｎｇｅ）６０７と、出力表示ディスプレイ最大輝度情報（ｏｕｔｐｕｔ＿ｄｉｓｐ＿ｌｕｍｉｎａｃｅ）６０８と、ニー位置数情報（ｎｕｍ＿ｋｎｅｅ＿ｐｏｉｎｔ＿ｍｉｎｕｓ１）６０９が設定される。さらに、ニー位置数情報６０９の数分だけニー位置毎の情報のループ６１０が配置され、各ループ内にはニー位置毎の変換前位置情報（ｉｎｐｕｔ＿ｋｎｅｅ＿ｐｏｉｎｔ）６１１と変換後位置情報（ｏｕｔｐｕｔ＿ｋｎｅｅ＿ｐｏｉｎｔ）６１２がニー位置毎に設定される。
【０１１８】
持続フラグ６０３は、一度送ったｋｎｅｅ＿ｆｕｎｃｔｉｏｎ＿ｉｎｆｏ２００がその後も有効なのか、一回限りなのかを示すものである。ｋｎｅｅ＿ｆｕｎｃｔｉｏｎ＿ｉｎｆｏ６００が付加されたピクチャーに限り有効な場合には、持続フラグ６０３にロー・レベル「０」を設定し、ストリームが切り替わるまで有効又は新しいニー変換ＩＤ６０１が来るまで有効の場合には、持続フラグ６０３にハイ・レベル「１」を設定する。
【０１１９】
圧縮伸長フラグ６０４は、ニー変換がニー圧縮であるかどうかを表すフラグである。すなわち、ニー位置の数が１つである場合、変換前位置情報が変換後位置情報以上であるとき、ニー変換がニー伸長であると判断し、変換前位置情報が変換後位置情報より小さいとき、ニー変換がニー圧縮であると判断することができる。
【０１２０】
しかしながら、ニー位置の数が複数である場合、変換前位置情報と変換後位置情報の大小関係で、ニー変換がニー伸長であるか、ニー圧縮であるかを正確に判断することができないため、圧縮伸長フラグ６０４が設定される。なお、ニー・ポイントの数が１つである場合であっても、圧縮伸長フラグ６０４が設定されるようにしてもよい。圧縮伸長フラグ６０４は、ニー変換がニー圧縮である場合にはハイ・レベル「１」を設定し、ニー伸長である場合にはロー・レベル「０」を設定する。
【０１２１】
ニー位置数情報６０９は、ニー位置の数から１を減算した値である。なお、ニー位置の変換前位置情報６１１と変換後位置情報６１２が設定される順番ｉ（ｉは０以上の整数）は、変換前位置情報６１１の小さい順である。続くニー位置数の数分の各ループでは、ニー位置ｉにおける変換前位置情報６１１と変換後位置情報６１２が格納される。
【０１２２】
変換前位置情報６１１は、ダイナミックレンジ変換における変換前の符号化対象の画像のニー位置を表す情報であり、符号化対象の画像の輝度の最大値を１０００‰としたときのニー位置の千分率で表される。ニー位置とは、符号化対象の画像の輝度のダイナミックレンジの同一の変換率でニー変換される輝度の範囲の始点の０以外の輝度である。
【０１２３】
また、変換後位置情報６１２は、ダイナミックレンジ変換における変換後の画像の、ニー位置を始点とするニー変換される輝度の範囲に対応する輝度の範囲の始点を表す情報である。具体的には、変換後位置情報（ｏｕｔｐｕｔ＿ｋｎｅｅ＿ｐｏｉｎｔ）は、変換後の画像の輝度の最大値を１０００‰としたときのニー位置に対応する変換後の画像の輝度の千分率で表される。
【０１２４】
図２１には、ダイナミックレンジ変換定義情報の一例を図解している。同図において、横軸は変換前のダイナミックレンジであり、縦軸は変換後のダイナミックレンジである。ユーザーは、ハイダイナミックレンジ画像の輝度の０〜４０％、４０〜１００％、１００〜１８０％、１８０〜４００％を、それぞれ０〜６０％、６０〜８０％、８０〜９０％、９０〜１００％にニー変換した結果得られる第２のダイナミックレンジ画像を所望の変換画像としている。
【０１２５】
この場合、ｋｎｅｅ＿ｆｕｎｃｔｉｏｎ＿ｉｎｆｏ  ＳＥＩには、１番目のニー位置２１０１の変換前位置情報（ｉｎｐｕｔ＿ｋｎｅｅ＿ｐｏｉｎｔ［０］）として１００が設定され、変換後位置情報（ｏｕｔｐｕｔ＿ｋｎｅｅ＿ｐｏｉｎｔ［０］）として６００が設定される。また、２番目のニー位置２１０２の変換前位置情報（ｉｎｐｕｔ＿ｋｎｅｅ＿ｐｏｉｎｔ［１］）として２５０が設定され、変換後位置情報（ｏｕｔｐｕｔ＿ｋｎｅｅ＿ｐｏｉｎｔ［１］）として８００が設定される。また、３番目のニー位置２１０３の変換前位置情報（ｉｎｐｕｔ＿ｋｎｅｅ＿ｐｏｉｎｔ［２］）として４５０が設定され、変換後位置情報（ｏｕｔｐｕｔ＿ｋｎｅｅ＿ｐｏｉｎｔ［２］）として９００が設定される。
【０１２６】
また、図２１に示した例において、ｋｎｅｅ＿ｆｕｎｃｔｉｏｎ＿ｉｎｆｏ  ＳＥＩのその他のパラメーターとして、仮に、入力画像ダイナミックレンジ情報（ｉｎｐｕｔ＿ｄ＿ｒａｎｇｅ）を４０００、入力画像表示ディスプレイ最大輝度情報（ｉｎｐｕｔ＿ｄｉｓｐ＿ｌｕｍｉｎａｎｃｅ）を８００（ｃｄ／ｍ2）、圧縮フラグ（ｍａｐｐｉｎｇ＿ｆｌａｇ）を１と想定する。
【０１２７】
したがって、テレビ受信機１３は、図２１に例示したダイナミックレンジ変換定義情報を受け取ると、１番目から３番目のニー位置における輝度ｏｕｔｐｕｔ＿ｋｎｅｅ＿ｐｏｉｎｔが、それぞれ、６０％、８０％、９０％であることを認識する。また、テレビ受信機１３は、入力画像ダイナミックレンジ情報（ｉｎｐｕｔ＿ｄ＿ｒａｎｇｅ）６０５から符号化対象の画像の輝度の最大値が４００％であることを認識する。
【０１２８】
そして、テレビ受信機１３は、ニー位置を設定順に接続することにより、復号の結果得られるハイダイナミックレンジ画像の輝度の０〜４０％、４０−１００％、１００〜１８０％、１８０〜４００％をそれぞれ０〜６０％、６０〜８０％、８０〜９０％、９０〜１００％にニー変換する。その結果、テレビ受信機１３は、復号して得られるハイダイナミックレンジ画像を所望の第２のダイナミックレンジ画像に変換することができる。
【０１２９】
ＢＤレコーダー１１などのＨＤＭＩソース機器は、例えば、非圧縮画像データのブランキング期間（データ・アイランド区間２５又はコントロール区間２６）にダイナミックレンジ変換定義情報を挿入して、テレビ受信機１３などのＨＤＭＩシンク機器に伝送することができる。あるいは、ＢＤレコーダー１１は、ＨＰＤ／Ｅｔｈｅｒ＋ライン３５とリザーブ／Ｅｔｈｅｒ−ライン３７を用いて構成される双方向通信路（ＨＥＣライン）を介して、テレビ受信機１３にダイナミックレンジ変換定義情報を伝送することができる。
【０１３０】
［ダイナミックレンジ変換定義情報の送信方法］
図７には、ＢＤレコーダー１１（ＨＤＭＩソース機器）とテレビ受信機１３（ＨＤＭＩシンク機器）間でのダイナミックレンジ変換定義情報の伝送方法の一例を示している。図７を参照しながら、ダイナミックレンジ変換定義情報の伝送方法について説明する。
【０１３１】
ＢＤレコーダー１１が再生画像を伝送路（ＨＤＭＩケーブル１４−１）に送信するとき、定期的な間隔で当該再生画像のダイナミックレンジ変換定義情報を送信する方法がある。非圧縮画像データのダイナミックレンジが変化した画像ポイント７０１を開始点として、次に非圧縮画像データのダイナミックレンジが変化した画像ポイント７０３までの区間では、参照番号７０２で示すように、ＢＤレコーダー１１の情報送信部１１ｄは、同じダイナミックレンジ変換定義情報（ＨＤＲメタ１）を繰り返し送信する。
【０１３２】
同様に、画像ポイント７０３から画像ポイント７０５の区間では、参照番号７０４で示すように、ＢＤレコーダー１１の情報送信部１１ｄは、同じダイナミックレンジ変換定義情報（ＨＤＲメタ２）を繰り返し送信する。また、画像ポイント７０５から次の画像ポイント（図示しない）の区間では、参照番号７０６で示すように、ＢＤレコーダー１１の情報送信部１１ｄは、同じダイナミックレンジ変換定義情報（ＨＤＲメタ３）を繰り返し送信する。
【０１３３】
図７に示す伝送方法では、常にダイナミックレンジ変換定義情報が伝送路に送信される。したがって、テレビ受信機１３側では、任意のタイミングでダイナミックレンジ変換定義情報を取得すれば、正しいダイナミックレンジ変換処理が可能となる。
【０１３４】
ここで、テレビ受信機１３側では、参照番号７１０で示すように、ＢＤレコーダー１１からのＨＤＭＩ入力（「ＨＤＭＩ入力＃１」とする）に固定し続けているとして説明する。画像ポイント７０１〜７０３の区間では、任意のタイミングでＢＤレコーダー１１からダイナミックレンジ変換定義情報（ＨＤＲメタ１）を情報受信部１３ｄで受信して、画像信号処理回路２０４及びグラフィック生成回路２０５はＢＤレコーダー１１から入力する画像データを正しくダイナミックレンジ逆変換して、参照番号７１１で示すように、元の高輝度画像（ＨＤＲ１）を再現することができる。
【０１３５】
次いで、画像ポイント７０３〜７０５の区間では、任意のタイミングでＢＤレコーダー１１からダイナミックレンジ変換定義情報（ＨＤＲメタ２）を受信して、ＢＤレコーダー１１から入力する画像データを正しくダイナミックレンジ逆変換して、参照番号７１２で示すように、元の高輝度画像（ＨＤＲ２）を再現することができる。
【０１３６】
次いで、画像ポイント７０５から次の画像ポイントの区間では、任意のタイミングでＢＤレコーダー１１からダイナミックレンジ変換定義情報（ＨＤＲメタ３）を受信して、ＢＤレコーダー１１から入力する画像データを正しくダイナミックレンジ逆変換して、参照番号７１３で示すように、元の高輝度画像（ＨＤＲ３）を再現することができる。
【０１３７】
しかしながら、図７に示すように、ダイナミックレンジ変換定義情報を常時伝送する方法では、伝送路の伝送容量の制限により、高い頻度でダイナミックレンジ変換定義情報を送信できない事態も想定される。このため、ダイナミックレンジ変換定義情報を間引いて送信する方法が定義されている。具体的には、図６に示した「ｋｎｅｅ＿ｆｕｎｃｔｉｏｎ＿ｉｎｆｏ  ＳＥＩ（Ｓｕｐｐｌｅｍｅｎｔａｌ  Ｅｎｈａｎｃｅｍｅｎｔ  Ｉｎｆｏｒｍａｔｉｏｎ）」のシンタクス例６００では、持続フラグ（ｋｎｅｅ＿ｆｕｎｃｔｉｏｎ＿ｐｅｒｓｉｓｔｅｎｃｅ＿ｆｌａｇ）６０３が設けられている。持続フラグ６０３は、一度送ったｋｎｅｅ＿ｆｕｎｃｔｉｏｎ＿ｉｎｆｏ２００がその後も有効なのか、一回限りなのかを示す。すなわち、持続フラグ６０３にハイ・レベル「１」を設定すると、ストリームが切り替わるまで有効又は新しいニー変換ＩＤ６０１が来るまでダイナミックレンジ変換定義情報が有効であることを表す（前述）。
【０１３８】
図８には、ＢＤレコーダー１１（ＨＤＭＩソース機器）とテレビ受信機１３（ＨＤＭＩシンク機器）間でダイナミックレンジ変換定義情報を間引き伝送する方法の一例を示している。図８を参照しながら、ダイナミックレンジ変換定義情報の間引き伝送方法について説明する。
【０１３９】
画像ポイント８０１において非圧縮画像データのダイナミックレンジが変化すると、参照番号８０２で示すように、対応するダイナミックレンジ変換定義情報（ＨＤＲメタ１）がＢＤレコーダー１１の情報送信部１１ｄから送信される。同様に、画像ポイント８０３において非圧縮画像データのダイナミックレンジが変化すると、参照番号８０４で示すように、ＢＤレコーダー１１の情報送信部１１ｄから画像ポイント８０３に対応するダイナミックレンジ変換定義情報（ＨＤＲメタ２）が送信され、画像ポイント８０５において非圧縮画像データのダイナミックレンジが変化すると、参照番号８０６で示すように、ＢＤレコーダー１１の情報送信部１１ｄから画像ポイント８０５に対応するダイナミックレンジ変換定義情報（ＨＤＲメタ３）が送信される。
【０１４０】
各画像ポイント８０１、８０３、８０５で送信されるダイナミックレンジ変換定義情報は、図６で説明した、持続フラグ６０３をハイ・レベル「１」に設定することで、ダイナミックレンジ変換定義情報の繰り返し送信の処理を省くことができる。テレビ受信機１３側では、情報受信部１３ｄで受信したダイナミックレンジ変換定義情報の持続フラグ６０３がハイ・レベル「１」に設定されていると、そのダイナミックレンジ変換定義情報を、次のダイナミックレンジ変換定義情報を受信するまで記憶部１３ｅで保持する。
【０１４１】
ここで、テレビ受信機１３側では、参照番号８１０で示すように、ＢＤレコーダー１１からのＨＤＭＩ入力（「ＨＤＭＩ入力＃１」とする）に固定し続けているとして、テレビ受信機１３側の処理について説明する。画像ポイント８０１において、ＢＤレコーダー１１から新たなダイナミックレンジ変換定義情報（ＨＤＲメタ１）を情報受信部１３ｄで受信すると、その持続フラグがハイ・レベル「１」に設定されているので、次のダイナミックレンジ変換定義情報を受信するまで記憶部１３ｅで保持する。また、画像信号処理回路２０４及びグラフィック生成回路２０５は、保持しているダイナミックレンジ変換定義情報（ＨＤＲメタ１）に基づいて、ＢＤレコーダー１１から入力する画像データを正しくダイナミックレンジ逆変換して、参照番号８１１で示すように、元の高輝度画像（ＨＤＲ１）を再現する。
【０１４２】
次いで、画像ポイント８０３において、ＢＤレコーダー１１から新たなダイナミックレンジ変換定義情報（ＨＤＲメタ２）を受信すると、その持続フラグがハイ・レベル「１」に設定されているので、次のダイナミックレンジ変換定義情報を受信するまで保持するとともに、保持しているダイナミックレンジ変換定義情報（ＨＤＲメタ２）に基づいてＢＤレコーダー１１から入力する画像データを正しくダイナミックレンジ逆変換して、参照番号８１２で示すように、元の高輝度画像（ＨＤＲ２）を再現する。
【０１４３】
次いで、画像ポイント８０５において、ＢＤレコーダー１１から新たなダイナミックレンジ変換定義情報（ＨＤＲメタ３）を受信すると、その持続フラグがハイ・レベル「１」に設定されているので、次のダイナミックレンジ変換定義情報を受信するまで保持し、ＢＤレコーダー１１から入力する画像データを正しくダイナミックレンジ逆変換して、参照番号８１３で示すように、元の高輝度画像（ＨＤＲ３）を再現する。
【０１４４】
続いて、ダイナミックレンジ変換定義情報を間引き伝送するときに発生する問題について説明する。図９には、ダイナミックレンジが変化する画像ポイントの間で、テレビ受信機１３のＨＤＭＩ入力切換え操作が行なわれたときの例を示している。
【０１４５】
参照番号９０１、９０３、９０５でそれぞれ示す各画像ポイントにおいて、ダイナミックレンジが変化すると、参照番号９０２、９０４、９０６で示すように、ＢＤレコーダー１１の情報送信部１１ｄからは、各画像ポイントに対応してダイナミックレンジ変換定義情報ＨＤＲメタ１、ＨＤＲメタ２、ＨＤＲメタ３がそれぞれ送信される。
【０１４６】
テレビ受信機１３側では、画像ポイント９０１の時点では、参照番号９１０で示すように、ＢＤレコーダー１１からのＨＤＭＩ入力（「ＨＤＭＩ入力＃１」とする）に切換えられている。テレビ受信機１３は、画像ポイント９０１において、ＢＤレコーダー１１から新たなダイナミックレンジ変換定義情報（ＨＤＲメタ１）を情報受信部１３ｄで受信すると、その持続フラグ（ｋｎｅｅ＿ｆｕｎｃｔｉｏｎ＿ｐｅｒｓｉｓｔｅｎｃｅ＿ｆｌａｇ）がハイ・レベル「１」に設定されているので、次のダイナミックレンジ変換定義情報を受信するまで記憶部１３ｅで保持する。また、画像信号処理回路２０４及びグラフィック生成回路２０５は、記憶部１３ｅで保持しているダイナミックレンジ変換定義情報（ＨＤＲメタ１）に基づいて、ＢＤレコーダー１１から入力する画像データを正しくダイナミックレンジ逆変換して、参照番号９１１で示すように、元の高輝度画像（ＨＤＲ１）を再現する。
【０１４７】
次いで、画像ポイント９０３において、テレビ受信機１３は、ＢＤレコーダー１１から新たなダイナミックレンジ変換定義情報（ＨＤＲメタ２）を受信すると、その持続フラグがハイ・レベル「１」に設定されているので、次のダイナミックレンジ変換定義情報を受信するまで保持する。また、ＨＤＭＩ入力はＨＤＭＩ入力＃１（ＢＤレコーダー１１）に切換えられたままなので、テレビ受信機１３は、保持しているダイナミックレンジ変換定義情報（ＨＤＲメタ２）に基づいてＢＤレコーダー１１から入力する画像データを正しくダイナミックレンジ逆変換して、参照番号９１２で示すように、元の高輝度画像（ＨＤＲ２）を再現する。
【０１４８】
次いで、画像ポイント９０３と画像ポイント９０５の途中で、参照番号９１３で示すように、ＨＤＭＩ入力♯１（ＢＤレコーダー１１）から他のＨＤＭＩ入力＃２（ＳＴＢ１２）に、ＨＤＭＩ入力切換えが行なわれたとする。ＨＤＭＩ入力＃２に切り換えられている間、テレビ受信機１３側では、参照番号９１４で示すように、ＢＤレコーダー１１からの画像データを信号処理しない（Ｎ／Ａ）。
【０１４９】
次いで、画像ポイント９０５において、参照番号９０６で示すように、ＢＤレコーダー１１の情報送信部１１ｄから新たなダイナミックレンジ変換定義情報（ＨＤＲメタ３）が送信されるが、テレビ受信機１３側では、ＨＤＭＩ入力＃２（ＳＴＢ１２）からの画像データの信号処理を実施している期間であり、新たなダイナミックレンジ変換定義情報（ＨＤＲメタ３）を受信できないので、以前のイナミックレンジ変換定義情報ＨＤＲ２を保持したままとなる。
【０１５０】
その後、参照番号９１５で示すように、ＨＤＭＩ入力切換えが行なわれて、ＨＤＭＩ入力＃１（ＢＤレコーダー１１）からの画像データに戻ったとする。テレビ受信機１３側では、画像ポイント９０３で送信されてきたダイナミックレンジ変換定義情報ＨＤＲ２のままで、参照番号９１６で示すようにダイナミックレンジ処理を行なうことになり、異なるダイナミックレンジ画像を表示してしまう。
【０１５１】
そこで、本明細書で開示する技術では、ＨＤＭＩシンク機器からＨＤＭＩソース機器へ、ダイナミックレンジ変換定義情報を送信制御する仕組みを導入する。テレビ受信機１３は、ＨＤＭＩ入力切換が行なわれ、新たなダイナミックレンジ変換処理を実施するときには、入力切換先のＨＤＭＩソース機器に対してダイナミックレンジ変換定義情報の送信要求を行なうという簡便な方法により、所望するタイミングで非圧縮画像データのダイナミックレンジ変換定義情報を取得することができる。これによって、テレビ受信機１３は非圧縮画像データのダイナミックレンジ変換を良好に行なうことができ、常に適切な輝度で画像を表示させることができる。また、テレビ受信機１３は、非圧縮画像データのダイナミックレンジ変換定義情報を取得できたときには、ＨＤＭＩシンク機器に対してダイナミックレンジ変換定義情報の送信停止を指示するなどして、ダイナミックレンジ変換定義情報の送信を最小限にとどめるようにする。
【０１５２】
図１０には、本明細書で開示する技術を適用したダイナミックレンジ変換定義情報の伝送方法の一例を示している。同図では、テレビ受信機１３は、ＨＤＭＩ入力切換えのときにダイナミックレンジ変換定義情報の送信要求情報をＨＤＭＩソース機器に伝送する。
【０１５３】
参照番号１００１、１００３、１００５でそれぞれ示す各画像ポイントにおいて、ダイナミックレンジが変化すると、参照番号１００２、１００４、１００６で示すように、ＢＤレコーダー１１の情報送信部１１ｄからは、各画像ポイントに対応してダイナミックレンジ変換定義情報ＨＤＲメタ１、ＨＤＲメタ２、ＨＤＲメタ３がそれぞれ送信される。
【０１５４】
テレビ受信機１３側では、画像ポイント１００１の時点では、参照番号１０１０で示すように、ＢＤレコーダー１１からのＨＤＭＩ入力（「ＨＤＭＩ入力＃１」とする）に切換えられている。参照番号１００２で示すように、画像ポイント１００１において、情報受信部１３ｄがＢＤレコーダー１１から新たなダイナミックレンジ変換定義情報（ＨＤＲメタ１）を受信すると、その持続フラグ（ｋｎｅｅ＿ｆｕｎｃｔｉｏｎ＿ｐｅｒｓｉｓｔｅｎｃｅ＿ｆｌａｇ）がハイ・レベル「１」に設定されているので、次のダイナミックレンジ変換定義情報を受信するまで記憶部１３ｅで保持する。また、画像信号処理回路２０４及びグラフィック生成回路２０５は、記憶部１３ｅで保持しているダイナミックレンジ変換定義情報（ＨＤＲメタ１）に基づいて、ＢＤレコーダー１１から入力する画像データを正しくダイナミックレンジ逆変換して、参照番号１０１１で示すように、元の高輝度画像（ＨＤＲ１）を再現する。
【０１５５】
次いで、画像ポイント１００３において、参照番号１００４で示すように、情報受信部１３ｄがＢＤレコーダー１１から新たなダイナミックレンジ変換定義情報（ＨＤＲメタ２）を受信すると、その持続フラグがハイ・レベル「１」に設定されているので、次のダイナミックレンジ変換定義情報を受信するまで記憶部１３ｅで保持する。また、ＨＤＭＩ入力はＨＤＭＩ入力＃１（ＢＤレコーダー１１）に切換えられたままなので、画像信号処理回路２０４及びグラフィック生成回路２０５は、記憶部１３ｅで保持しているダイナミックレンジ変換定義情報（ＨＤＲメタ２）に基づいてＢＤレコーダー１１から入力する画像データを正しくダイナミックレンジ逆変換して、参照番号１０１２で示すように、元の高輝度画像（ＨＤＲ２）を再現する。
【０１５６】
次いで、画像ポイント１００３と画像ポイント１００５の途中で、参照番号１０１３で示すように、テレビ受信機１３側で、ＨＤＭＩ入力♯１（ＢＤレコーダー１１）から他のＨＤＭＩ入力＃２（ＳＴＢ１２）に、ＨＤＭＩ入力切換えが行なわれたとする。ＨＤＭＩ入力＃２に切り換えられている間、テレビ受信機１３側では、参照番号１０１４で示すように、ＢＤレコーダー１１からの画像データを信号処理しない（Ｎ／Ａ）。
【０１５７】
次いで、画像ポイント１００５において、参照番号１００６で示すように、ＢＤレコーダー１１から新たなダイナミックレンジ変換定義情報（ＨＤＲメタ３）が送信されるが、テレビ受信機１３側では、ＨＤＭＩ入力＃２（ＳＴＢ１２）からの画像データの信号処理を実施している期間であり、新たなダイナミックレンジ変換定義情報（ＨＤＲメタ３）を受信できないので、以前のダイナミックレンジ変換定義情報ＨＤＲ２を記憶部１３ｅで保持したままとなる。
【０１５８】
その後、参照番号１０１５で示すように、ＨＤＭＩ入力切換えが行なわれて、ＨＤＭＩ入力＃１（ＢＤレコーダー１１）にからの画像データに戻ったとする。このとき、テレビ受信機１３は、ＨＤＭＩ入力切換先であるＢＤレコーダー１１に対して、ダイナミックレンジ変換定義情報の送信要求を行なう。具体的には、テレビ受信機１３側で、参照番号１０１６で示すように、制御送信部１３ｃが、ＨＤＭＩ端子１３ａのＨＰＤライン３５を一定期間だけロー・レベル「Ｌ」にし、その後ハイ・レベル「Ｈ」に制御する。これに対し、ＢＤレコーダー１１側では、制御受信部１１ｃでＨＰＤライン３５の立ち上がりエッジを検出したとき、テレビ受信機１３でダイナミックレンジ変換定義情報の送信制御が行なわれたと判断すると、参照番号１００８で示すように、画像ポイント１０１５で送信したものと同じダイナミックレンジ変換定義情報（ＨＤＲメタ３）を情報送信部１１ｄから送信する。そして、テレビ受信機１３側では、参照番号１０１７で示すように、再度送信されたダイナミックレンジ変換定義情報（ＨＤＲメタ３）を用いて、ダイナミックレンジ変換処理を行なう。
【０１５９】
このように、テレビ受信機１３は、参照番号１０１６で示したようなＨＰＤライン３５の制御を制御送信部１３ｃにより行なうことで、ＨＤＭＩ入力切換え１０１５の後に適切なダイナミックレンジ変換定義情報（ＨＤＲメタ３）を取得して、入力画像に対して正しくダイナミックレンジ逆変換を行ない、元の高輝度画像（ＨＤＲ３）を良好に再現することができる。
【０１６０】
また、図１１には、本明細書で開示する技術を適用したダイナミックレンジ変換定義情報の伝送方法の他の例を示している。同図でも、テレビ受信機１３は、ＨＤＭＩ入力切換えのときにダイナミックレンジ変換定義情報の送信要求情報をＨＤＭＩソース機器に伝送する。図１０に示した例では、テレビ受信機３５の制御送信部１３ｃは、ＨＤＭＩ端子１３ａのＨＰＤライン３５の制御で行なうことで、ダイナミックレンジ変換定義情報の送信要求情報を送信した。これに対し、図１１に示す例では、テレビ受信機１３の制御送信部１３ｃは、ＨＤＭＩ端子１３ａのＣＥＣライン３４、あるいは、ＨＰＤ／Ｅｔｈｅｒ＋ライン３５とリザーブ／Ｅｔｈｅｒ−ライン３７を用いた一対の差動伝送路で構成される双方向通信路（ＨＥＣライン）を介して、ダイナミックレンジ変換定義情報の送信要求制御を行なうようにしている。
【０１６１】
参照番号１１０１、１１０３、１１０５でそれぞれ示す各画像ポイントにおいて、ダイナミックレンジが変化すると、参照番号１１０２、１１０４、１１０６で示すように、ＢＤレコーダー１１の情報送信部１１ｄからは、各画像ポイントに対応してダイナミックレンジ変換定義情報ＨＤＲメタ１、ＨＤＲメタ２、ＨＤＲメタ３がそれぞれ送信される。
【０１６２】
テレビ受信機１３側では、画像ポイント１１０１の時点では、参照番号１１１０で示すように、ＢＤレコーダー１１からのＨＤＭＩ入力（「ＨＤＭＩ入力＃１」とする）に切換えられている。参照番号１１０２で示すように、画像ポイント１１０１において、ＢＤレコーダー１１から新たなダイナミックレンジ変換定義情報（ＨＤＲメタ１）を情報受信部１３ｄで受信すると、その持続フラグ（ｋｎｅｅ＿ｆｕｎｃｔｉｏｎ＿ｐｅｒｓｉｓｔｅｎｃｅ＿ｆｌａｇ）がハイ・レベル「１」に設定されているので、次のダイナミックレンジ変換定義情報を受信するまで記憶部１３ｅで保持する。また、画像信号処理回路２０４及びグラフィック生成回路２０５は、記憶部１３ｅで保持しているダイナミックレンジ変換定義情報（ＨＤＲメタ１）に基づいて、ＢＤレコーダー１１から入力する画像データを正しくダイナミックレンジ逆変換して、参照番号１１１１で示すように、元の高輝度画像（ＨＤＲ１）を再現する。
【０１６３】
次いで、画像ポイント１１０３において、参照番号１１０４で示すように、テレビ受信機１３は、ＢＤレコーダー１１から新たなダイナミックレンジ変換定義情報（ＨＤＲメタ２）を受信すると、その持続フラグがハイ・レベル「１」に設定されているので、次のダイナミックレンジ変換定義情報を受信するまで保持する。また、ＨＤＭＩ入力はＨＤＭＩ入力＃１（ＢＤレコーダー１１）に切換えられたままなので、テレビ受信機１３は、保持しているダイナミックレンジ変換定義情報（ＨＤＲメタ２）に基づいてＢＤレコーダー１１から入力する画像データを正しくダイナミックレンジ逆変換して、参照番号１１１２で示すように、元の高輝度画像（ＨＤＲ２）を再現する。
【０１６４】
次いで、画像ポイント１１０３と画像ポイント１１０５の途中で、参照番号１１１３で示すように、テレビ受信機１３側で、ＨＤＭＩ入力♯１（ＢＤレコーダー１１）から他のＨＤＭＩ入力＃２（ＳＴＢ１２）に、ＨＤＭＩ入力切換えが行なわれたとする。ＨＤＭＩ入力＃２に切り換えられている間、テレビ受信機１３側では、参照番号１１１４で示すように、ＢＤレコーダー１１からの画像データを信号処理しない（Ｎ／Ａ）。
【０１６５】
次いで、画像ポイント１１０５において、参照番号１１０６で示すように、ＢＤレコーダー１１から新たなダイナミックレンジ変換定義情報（ＨＤＲメタ３）が送信されるが、テレビ受信機１３側では、ＨＤＭＩ入力＃２（ＳＴＢ１２）からの画像データの信号処理を実施している期間であり、新たなダイナミックレンジ変換定義情報（ＨＤＲメタ３）を受信できないので、以前のイナミックレンジ変換定義情報ＨＤＲ２を記憶部１３ｅで保持したままとなる。
【０１６６】
その後、参照番号１１１５で示すように、ＨＤＭＩ入力切換えが行なわれて、ＨＤＭＩ入力＃１（ＢＤレコーダー１１）にからの画像データに戻ったとする。このとき、テレビ受信機１３は、ＨＤＭＩ入力切換先であるＢＤレコーダー１１に対して、ダイナミックレンジ変換定義情報の送信要求を行なう。具体的には、テレビ受信機１３側では、参照番号１１１６で示すように、制御送信部１３ｃが、ＨＤＭＩ端子１３ａのＣＥＣライン３４、あるいはＨＰＤ／Ｅｔｈｅｒ＋ライン３５とリザーブ／Ｅｔｈｅｒ−ライン３７による双方向通信路を介して、ダイナミックレンジ変換定義情報の送信要求コマンドを送信する。ＢＤレコーダー１１は、ＣＥＣライン３４又は双方向通信路を介してダイナミックレンジ変換定義情報の送信要求コマンドを制御受信部１１ｃで受信すると、これに応答して、参照番号１１０８で示すように、画像ポイント１０１５で送信したものと同じダイナミックレンジ変換定義情報（ＨＤＲメタ３）を情報送信部１１ｄから送信する。テレビ受信機１３は、参照番号１１１７で示すように、再度送信されたダイナミックレンジ変換定義情報（ＨＤＲメタ３）を用いて、正しくダイナミックレンジ変換処理を行なうことができる。
【０１６７】
このように、テレビ受信機１３は、参照番号１１１６で示したようなコマンドの送信制御を行なうことにより、ＨＤＭＩ入力切換え１１１５の後に適切なダイナミックレンジ変換定義情報（ＨＤＲメタ３）を取得して、入力画像に対して正しくダイナミックレンジ逆変換を行ない、元の高輝度画像（ＨＤＲ３）を良好に再現することができる。
【０１６８】
また、図１２には、本明細書で開示する技術を適用したダイナミックレンジ変換定義情報の伝送方法のさらに他の例を示している。図７には、定期的な間隔でダイナミックレンジ変換定義情報を常時送信する方法を示した。これに対し、図１２では、伝送路の伝送容量を軽減する目的で、テレビ受信機３５のＨＤＭＩ端子１３ａのＣＥＣライン３４あるいはＨＰＤ／Ｅｔｈｅｒ＋ライン３５とリザーブ／Ｅｔｈｅｒ−ライン３７を用いて構成される双方向通信路を介して、ダイナミックレンジ変換定義情報の受信認識情報の送信による、ダイナミックレンジ変換定義情報の送信制御を行なうようになっている。
【０１６９】
ここで、テレビ受信機１３側では、参照番号１２１０で示すように、ＢＤレコーダー１１からのＨＤＭＩ入力（「ＨＤＭＩ入力＃１」とする）に固定し続けているとして説明する。ＢＤレコーダー１１は、再生画像を伝送路（ＨＤＭＩケーブル１４−１）に送信している間で、非圧縮画像データのダイナミックレンジが変化した画像ポイント１２０１を開始点として、参照番号１２０２で示すように、対応するダイナミックレンジ変換定義情報（ＨＤＲメタ１）の繰り返し送信を開始する。
【０１７０】
テレビ受信機１３側では、正しくダイナミックレンジ変換定義情報（ＨＤＲメタ１）を情報受信部１３ｄで受信すると、画像信号処理回路２０４及びグラフィック生成回路２０５はＢＤレコーダー１１から入力する画像データを正しくダイナミックレンジ逆変換して、参照番号１２１１で示すように、元の高輝度画像（ＨＤＲ１）を再現する。
【０１７１】
また、テレビ受信機１３側では、正しくダイナミックレンジ変換定義情報（ＨＤＲメタ１）を受信すると、参照番号１２２１で示すように、制御送信部１３ｃが、ＨＤＭＩ端子１３ａのＣＥＣライン３４あるいはＨＰＤ／Ｅｔｈｅｒ＋ライン３５とリザーブ／Ｅｔｈｅｒ−ライン３７による双方向通信路（ＨＥＣライン）を介して、ダイナミックレンジ変換定義情報の受信認識情報を送信する。
【０１７２】
そして、ＢＤレコーダー１１側では、ダイナミックレンジ変換定義情報の受信認識情報を制御受信部１１ｃで受信すると、情報送信部１１ｄからのダイナミックレンジ変換定義情報（ＨＤＲメタ１）の送信を停止する。
【０１７３】
また、ＢＤレコーダー１１は、次に非圧縮画像データのダイナミックレンジが変化した画像ポイント１２０３を開始点として、参照番号１２０４で示すように、対応するダイナミックレンジ変換定義情報（ＨＤＲメタ２）の繰り返し送信を開始する。
【０１７４】
テレビ受信機１３側では、正しくダイナミックレンジ変換定義情報（ＨＤＲメタ２）を情報受信部１３ｄで受信すると、ＢＤレコーダー１１から入力する画像データを正しくダイナミックレンジ逆変換して、参照番号１２１２で示すように、元の高輝度画像（ＨＤＲ２）を再現する。
【０１７５】
また、テレビ受信機１３側では、参照番号１２２２で示すように、制御送信部１３ｃが、ＣＥＣライン３４あるいは双方向通信路（ＨＥＣライン）を介して、ダイナミックレンジ変換定義情報の受信認識情報を送信する。そして、ＢＤレコーダー１１側では、ダイナミックレンジ変換定義情報の受信認識情報を制御受信部１１ｃで受信すると、情報送信部１１ｄからのダイナミックレンジ変換定義情報（ＨＤＲメタ２）の送信を停止する。
【０１７６】
また、ＢＤレコーダー１１は、さらに次に非圧縮画像データのダイナミックレンジが変化した画像ポイント１２０５を開始点として、参照番号１２０６で示すように、対応するダイナミックレンジ変換定義情報（ＨＤＲメタ３）の繰り返し送信を開始する。
【０１７７】
テレビ受信機１３側では、正しくダイナミックレンジ変換定義情報（ＨＤＲメタ３）を情報受信部１３ｄで受信すると、ＢＤレコーダー１１から入力する画像データを正しくダイナミックレンジ逆変換して、参照番号１２１３で示すように、元の高輝度画像（ＨＤＲ３）を再現する。
【０１７８】
また、テレビ受信機１３側は、参照番号１２２３で示すように、制御送信部１３ｃが、ＣＥＣライン３４あるいは双方向通信路（ＨＥＣライン）を介して、ダイナミックレンジ変換定義情報の受信認識情報を制御送信部１３ｃから送信する。そして、ＢＤレコーダー１１側では、ダイナミックレンジ変換定義情報の受信認識情報を制御受信部１１ｃで受信すると、情報送信部１１ｄからのダイナミックレンジ変換定義情報（ＨＤＲメタ３）の送信を停止する。
【０１７９】
このようにテレビ受信機１３からの受信認識情報の送信に基づくダイナミックレンジ変換定義情報の送信制御により、ＢＤレコーダー１１などのＨＤＭＩソース機器側では不要なダイナミックレンジ変換定義情報の送信を省略することができ、伝送路の伝送容量の削減が可能となる。
【０１８０】
［ＣＥＣパケットのデータ構造例］
ＣＥＣライン３４は、伝送レートが低く非圧縮画像データとは同期がとれないものの、ダイナミックレンジ変換定義情報の送信要求情報や受信認識情報などの送信制御情報をＨＤＭＩソース機器とＨＤＭＩシンク機器間で伝送することは可能である。
【０１８１】
図１３には、ＨＤＭＩソース機器とＨＤＭＩシンク機器の間でＣＥＣライン３４を介して伝送されるＣＥＣパケットのデータ構造例１３００を示している。図１３上に示すように、ＣＥＣパケット１３００は、１０ビットのＣＥＣヘッダー１３１０と、可変長のＣＥＣデータ１３２０で構成される。図１に示すＡＶシステム１０では、テレビ受信機１３側の制御送信部１３ｃがＣＥＣパケットを送信し、ＢＤレコーダー１１側の制御受信部１１ｃが受信するものとする。
【０１８２】
ＣＥＣヘッダー１３１０は、４ビットの伝送元のＣＥＣアドレス（Ｉｎｉｔｉａｔｏｒ）１３１１と、４ビットの伝送先のＣＥＣアドレス（Ｄｅｓｔｉｎａｔｉｏｎ）１３１２と、１ビットのＥＯＭ（Ｅｎｄ  Ｏｆ  Ｍｅｓｓａｇｅ）１３１３と、１ビットのＡＣＫ（Ａｃｋｎｏｗｌｅｄｇｅ）１３１４とで構成されている。ＣＥＣヘッダー１３１０に続き、１バイトの制御コード（Ｏｐｃｏｄｅ）１３２１と最大１４バイトの制御データ部（Ｏｐｅｒａｎｄ）１３２２とでＣＥＣデータ１３２０が構成されている。
【０１８３】
ＣＥＣパケット１３００の制御データ部（Ｏｐｅｒａｎｄ）１３２２には、ＨＤＭＩ  ＣＥＣコマンドが格納される。図１３下には、ＨＤＭＩ  ＣＥＣコマンドの拡張例１３３０を示している。本実施形態では、ＣＥＣの制御コード（Ｏｐｃｏｄｅ）に、参照番号１３３１で示すように、メタデータの送信制御コマンドとして、“０ｘＣ８”を新規に割り当て、ダイナミックレンジ変換定義情報を要求するときは、オペランド（ｔｙｐｅ）に“０ｘ０１”を設定する。また、本実施形態では、参照番号１３３２で示すように、メタデータの受信認識コマンドとして、“０ｘＣ９”を新規に割り当てる。テレビ受信機１３は、ＢＤレコーダー１１に送信した送信制御コマンドに対し、レスポンス・コマンドが“Ａｂｏｒｔ”の制御データ部を返送されたとき、ダイナミックレンジ変換定義情報が存在しないと判断して、ダイナミックレンジ変換処理を行なわない。
【０１８４】
［ＨＥＣラインのデータ構造例］
上述したように、ＨＤＭＩソース機器とＨＤＭＩシンク機器の間で、ＨＰＤ／Ｅｔｈｅｒ＋ライン３５とリザーブ／Ｅｔｈｅｒ−ライン３７からなる一対の差動伝送路を用いて、高速なＬＡＮ通信が可能な双方向通信路、すなわちＨＥＣラインを構成することができる。このＨＥＣラインを介して、ダイナミックレンジ変換定義情報の送信要求情報や受信認識情報などの送信制御情報をＨＤＭＩソース機器とＨＤＭＩシンク機器間で伝送することができる。また、ＨＥＣラインは高速であり、非圧縮画像データと同期してダイナミックレンジ変換定義情報を伝送することも可能である。
【０１８５】
図１４には、ＨＤＭＩソース機器とＨＤＭＩシンク機器の間でＨＥＣラインを介して伝送されるＩＰパケットのデータ構造例１４００を示している。図１４上に示すように、ＩＰパケット１４００は、２６オクテットのＭＡＣヘッダー１４１０と、可変長のデータ領域１４２０で構成される。図１に示すＡＶシステム１０では、テレビ受信機１３側の制御送信部１３ｃがＩＰパケットを送信し、ＢＤレコーダー１１側の制御受信部１１ｃが受信するものとする。
【０１８６】
ＭＡＣヘッダー１４１０は、７オクテットのプリアンブル部（Ｐｒｅａｍｂｌｅ）１４１１と、１オクテットのＳＦＤ（Ｓｔａｒｔ  Ｆｒａｍｅ  Ｄｅｌｉｍｉｔｅｒ）１４１２と、６オクテットの伝送先のアドレス（Ｄｅｓｔｉｎａｔｉｏｎ  ＭＡＣ  ａｄｄｒｅｓｓ）１４１３と、６オクテットの伝送元のアドレス（Ｓｏｕｒｃｅ  ＭＡＣ  ａｄｄｒｅｓｓ）１４１４と、２オクテットのＴＰＩＤ（Ｔａｇ  Ｐｒｏｔｏｃｏｌ  Ｉｄｅｎｔｉｆｉｅｒ）１４１５と、２オクテットのＴＣＩ（Ｔａｇ  Ｃｏｎｔｒｏｌ  Ｉｎｆｏｒｍａｔｉｏｎ）１４１６と、２オクテットのデータ長形式（Ｌｅｎ  Ｔｙｐｅ）１４１７とで構成されている。ＭＡＣヘッダー１４１０に続き、４２オクテットから１５００オクテットのペイロード部（Ｐａｙｌｏａｄ）１４２１と４オクテットのＦＣＳ（Ｆｒａｍｅ  Ｃｈｅｃｋ  Ｓｅｑｕｅｎｃｅ：ＦＣＳ）１４２２とでデータ領域１４２０が構成されている。
【０１８７】
ダイナミックレンジ変換定義情報の送信要求情報や受信認識情報などの送信制御情報は、上記ペイロード部１４２０のデータ領域１４２１に挿入される。図１４下には、ＩＰパケットによる送信制御情報のデータ構造例１４３０を示している。送信制御情報１４３０の第１バイトは、送信制御情報を表す識別情報（ｉｄ）であり、例えば送信要求コマンドを表す識別情報が設定される。次に、要求される送信制御のメタデータのタイプ（ｍｅｔａｄａｔａ  ｔｙｐｅ）が設定される。ダイナミックレンジ変換定義情報のメタデータを０ｘ０１とし、ＩＰパケットを用いてダイナミックレンジ変換定義情報以外のメタデータ（例えば，ガンマ定義情報など）の送信要求を行なうことも可能である。また、ダイナミックレンジ変換定義情報の受信認識コマンドは、送信要求コマンドとは異なる識別情報（ｉｄ）で設定してもよいし、送信制御コマンドと同じ識別情報（ｉｄ）を用いて、異なるメタデータのタイプ（ｍｅｔａｄａｔａ  ｔｙｐｅ）を、（例えば、０ｘＦＦ）に設定する方法でもよい。
【０１８８】
［ＨＤＭＩソース機器におけるダイナミックレンジ変換定義情報の送信処理］
図１５には、ＨＤＩＭソース機器としてのＢＤレコーダー１１においてダイナミックレンジ変換定義情報の送信制御を行なうための処理手順をフローチャートの形式で示している。この処理手順は、例えばＣＰＵ１０１が所定のプログラム・コードを実行するという形態で実現することができる。
【０１８９】
ＢＤレコーダー１１は、ユーザーの操作により、コンテンツ再生開始の指示が行なわれたとき、本処理を開始する。ＢＤレコーダー１１は、まず、自身の記憶媒体１１ｆから復号化した非圧縮画像データに、ダイナミックレンジ変換定義情報（ＤＲメタ）があるか否かを判定する（ステップＳ１５０１）。
【０１９０】
ここで、ダイナミックレンジ変換定義情報がないときには（ステップＳ１５０１のＮｏ）、ＢＤレコーダー１１は、後続の処理をスキップして、ステップＳ１５０７に進む。
【０１９１】
一方、ダイナミックレンジ変換定義情報があるときには（ステップＳ１５０１のＹｅｓ）、ＢＤレコーダー１１は、ダイナミックレンジ変換定義情報の送信方法が繰返し送信方法か否かを判定する（ステップＳ１５０２）。
【０１９２】
ここで、ダイナミックレンジ変換定義情報の送信方法が単独のときには（ステップＳ１５０２のＮｏ）、ＢＤレコーダー１１は、ステップＳ１５０８に進む。そして、ＢＤレコーダー１１は、持続フラグ（ｋｎｅｅ＿ｆｕｎｃｔｉｏｎ＿ｐｅｒｓｉｓｔｅｎｃｅ＿ｆｌａｇ）をハイ・レベル「１」に設定したダイナミックレンジ変換定義情報を、情報送信部１１ｄから、ＨＤＭＩシンク機器としてのテレビ受信機１３へ送信し（ステップＳ１５０８）、ステップＳ１５０６に進む。
【０１９３】
また、ダイナミックレンジ変換定義情報の送信方法が繰り返し送信方法のときには（ステップＳ１５０２のＹｅｓ）、ＢＤレコーダー１１は、持続フラグ（ｋｎｅｅ＿ｆｕｎｃｔｉｏｎ＿ｐｅｒｓｉｓｔｅｎｃｅ＿ｆｌａｇ）をロー・レベル「０」に設定したダイナミックレンジ変換定義情報を、情報送信部１１ｄから、テレビ受信機１３へ送信する（ステップＳ１５０３）。
【０１９４】
次いで、ＢＤレコーダー１１は、テレビ受信機１３から受信認識情報（ＡＣＫ）を制御受信部１１ｃで受信したか否かを判定する（ステップＳ１５０４）。テレビ受信機１３から受信認識情報を受信しなかったときには（ステップＳ１５０４のＮｏ）、ステップＳ１５０３に戻り、ＢＤレコーダー１１はダイナミックレンジ変換定義情報の送信を繰返す。
【０１９５】
ＢＤレコーダー１１は、テレビ受信機１３から受信認識情報を制御受信部１１ｃで受信すると（ステップＳ１５０４のＹｅｓ）、テレビ受信機１３がダイナミックレンジ変換定義情報を正しく受信できたと判断して、ダイナミックレンジ変換定義情報の送信を停止する（ステップＳ１５０５）。
【０１９６】
次いで、ＢＤレコーダー１１は、制御受信部１１ｃでテレビ受信機１３から送信要求情報を受信したか否かを判定する（ステップＳ１５０６）。送信要求情報を受信したときには（ステップＳ１５０６のＹｅｓ）、ＢＤレコーダー１１は、ステップＳ１５０２に戻り、ダイナミックレンジ変換定義情報をテレビ受信機１３へ再送信する。
【０１９７】
また、ＢＤレコーダー１１は、テレビ受信機１３から送信要求情報を受信しなかったときには（ステップＳ１５０６のＮｏ）、ＢＤレコーダー１１は、ユーザーの操作により、コンテンツの再生停止が行なわれたか否かを判定する（ステップＳ１５０７）。再生停止が行なわれなかったときには（ステップＳ１５０７のＮｏ）、ＢＤレコーダー１１は、ステップＳ１５０１に戻り、新しいダイナミックレンジ変換定義情報の有無の判定を繰り返す。また、再生停止が行なわれたときには（ステップＳ１５０７のＹｅｓ）、ＢＤレコーダー１１は、直ちに本処理ルーチンを終了する。
【０１９８】
このように、ＢＤレコーダー１１は、テレビ受信機１３からの送信要求情報を受信したことに応答してダイナミックレンジ変換定義情報を送信するので、テレビ受信機１３側では、所望するタイミングでダイナミックレンジ変換定義情報を取得して、非圧縮画像データのダイナミックレンジ変換を良好に行なうことができ、常に適切な輝度で画像を表示させることができるようになる。
【０１９９】
また、ＢＤレコーダー１１は、テレビ受信機１３から受信認識情報を受信したときには、不要なダイナミックレンジ変換定義情報の送信を省略することができ、伝送路の伝送容量の削減が可能となる。
【０２００】
［ＨＤＭＩシンク機器におけるダイナミックレンジ変換定義情報の送信処理］
図１６には、ＨＤＭＩシンク機器としてのテレビ受信機１３においてダイナミックレンジ変換定義情報の送信制御を行なうための処理手順をフローチャートの形式で示している。
【０２０１】
テレビ受信機１３は、ＨＤＭＩ入力切換えの実行を検出したことに応答して、本処理ルーチンを開始する。テレビ受信機１３は、まず、入力切換え操作にて切換えられた入力がＨＤＭＩ入力か否かを判定する（ステップＳ１６０１）。ＨＤＭＩ入力でないときには（ステップＳ１６０１のＮｏ）、テレビ受信機１３は、直ちに本処理ルーチンを終了する。
【０２０２】
一方、切り換えられた入力がＨＤＭＩ入力のときには（ステップＳ１６０１のＹｅｓ）、テレビ受信機１３は、ＨＤＭＩ入力であるＢＤレコーダー１１に対して、ダイナミックレンジ変換定義情報の送信要求情報を、制御送信部１３ｃから送信する（ステップＳ１６０２）。このとき、テレビ受信機１３は、送信要求の伝送方法として、ＨＰＤライン３５、又はＣＥＣライン３４、又はＨＰＤ／Ｅｔｈｅｒ＋ライン３５とリザーブ／Ｅｔｈｅｒ−ライン３７で構成される双方向通信路（ＨＥＣライン）のいずれかを、適宜選択する。
【０２０３】
そして、テレビ受信機１３は、一定期間、ＢＤレコーダー１１からダイナミックレンジ変換定義情報の受信を待機する（ステップＳ１６０３）。
【０２０４】
一定期間内にＢＤレコーダー１１からダイナミックレンジ変換定義情報を受信できないときには（ステップＳ１６０３のＮｏ）、テレビ受信機１３は、ダイナミックレンジ変換定義情報を受信できないため、ダイナミックレンジ変換が不要と判断し、ＢＤレコーダー１１から受信した非圧縮画像データに対してダイナミックレンジ変換を行なわない処理を行ないで（ステップＳ１６０６）、直ちに本処理ルーチンを終了する。
【０２０５】
また、一定期間内にＢＤレコーダー１１からダイナミックレンジ変換定義情報を情報受信部１３ｄで受信できたときには（ステップＳ１６０３のＹｅｓ）、テレビ受信機１３は、ダイナミックレンジ変換定義情報の受信認識情報を、制御送信部１３ｃからＢＤレコーダー１１へ送信する（ステップＳ１６０４）。
【０２０６】
次いで、テレビ受信機１３は、受信したダイナミックレンジ変換定義情報に基づいて、ＢＤレコーダー１１から受信した非圧縮画像データに対してダイナミックレンジ変換処理を行なった後（ステップＳ１６０５）、直ちに本処理ルーチンを終了する。
【０２０７】
このように、テレビ受信機１３は、ＨＤＭＩ入力切換えが行なわれ、新たなダイナミックレンジ変換処理を実施するときには、入力切換先のＨＤＭＩソース機器に対して送信要求情報を送信するという簡便な方法により、所望するタイミングで非圧縮画像データのダイナミックレンジ変換定義情報を取得することができる。これによって、テレビ受信機１３は非圧縮画像データのダイナミックレンジ変換を良好に行なうことができ、常に適切な輝度で画像を表示させることができる。
【０２０８】
また、本明細書で開示する技術によれば、テレビ受信機１３は、非圧縮画像データのダイナミックレンジ変換定義情報を取得できたときには、受信認識情報を返信することによって、ＢＤレコーダー１１からのダイナミックレンジ変換定義情報の送信を最小限にとどめることができる。
【０２０９】
要するに、本明細書で開示する技術によれば、テレビ受信機１３は、ＢＤレコーダー１１に対してダイナミックレンジ変換定義情報の送信制御情報を送信することにより、所望するタイミングで非圧縮画像データのダイナミックレンジ変換定義情報を取得することができ、且つ、ＢＤレコーダー１１からの不要なダイナミックレンジ変換定義情報の送信を省略して、伝送路の伝送容量の削減が可能である。
【０２１０】
［変形例］
ＨＤＭＩソース機器としてのＢＤレコーダー１１とＨＤＭＩシンク機器としてテレビ受信機１３が各ＨＤＭＩケーブル１４−１を介して接続されて構成されるＡＶシステム１０からなる実施形態（図１を参照のこと）を例にとって、本明細書で開示する技術について説明してきたが、本明細書で開示する技術の要旨はこれに限定されるものではない。テレビ受信機１３は、ＨＤＭＩケーブル１４−２を介して接続されるＳＴＢ１２に対しても、同様に、ダイナミックレンジ変換定義情報の送信制御情報（送信要求情報、受信認識情報）を送信することによって、所望するタイミングで非圧縮画像データのダイナミックレンジ変換定義情報を取得することができ、且つ、ＳＴＢ１２からの不要なダイナミックレンジ変換定義情報の送信を省略して、伝送路の伝送容量の削減が可能である。
【０２１１】
また、テレビ受信機１３は、ワイヤレス送受信部２１７を介して接続されるインターネット上のコンテンツに対しても、同様に、図１４下に示したＩＰデータ構造による、ダイナミックレンジ変換定義情報の送信制御情報（送信要求情報、受信認識情報）を送信することによって、所望するタイミングで非圧縮画像データのダイナミックレンジ変換定義情報を取得することができ、且つ、インターネット上のコンテンツ・サーバーからの不要なダイナミックレンジ変換定義情報の送信を省略して、ワイヤレス伝送路の伝送容量を削減することが可能である。
【０２１２】
また、ＨＤＭＩシンク機器としてのテレビ受信機１３は、ＢＤレコーダー１１やＳＴＢ１２といったＨＤＭＩソース機器ではなく、ＨＤＭＩソース機器との間に介在するＨＤＭＩリピーター機器（ＡＶアンプなど：図示しない）に対しても、同様に、ダイナミックレンジ変換定義情報の送信制御情報を送信することによって、非圧縮画像データのダイナミックレンジ変換定義情報を所望するタイミングで取得するとともに、不要なダイナミックレンジ変換定義情報の送信を抑制することができる。
【０２１３】
［ＤＰシステムの構造例］
図１７には、ＤＰインターフェースを用いたＤＰシステム１７００の構成例を示している。図示のＤＰシステム１７００は、ＤＰ送信機器１７０１とＤＰ受信機器１７０７で構成される。ＤＰ送信機器１７０１はＤＰ送信部１７０２を備え、ＤＰ受信機器１７０７はＤＰ受信部１７０８を備え、ＤＰ送信部１７０２とＤＰ受信部１７０８とはＤＰケーブル１７０３により接続されている。
【０２１４】
ＤＰケーブル１７０３は、メインリンク１７０４と、ＡＵＸチャネル１７０５と、ホットプラグ検知ライン１７０６で構成されている。ＤＰ送信機器１７０１は、メインリンク１７０４を介して、パケット化されたデータをＤＰ受信機器１７０７へ送信する。また、ＤＰ受信機器１７０７は、ＡＵＸチャネル１７０５を介して、ＤＰ送信機器１７０１に対する接続制御やデバイス・コントロールを行なう。また、ＤＰ受信機器１７０１は、ホットプラグ検知ライン１７０６を利用して、直流バイアス電位により、ＤＰ送信機器１７０１の接続を検出することができる。メインリンク１７０４は、１つ、２つ、又は４つの２重終端差動信号ペア（ペアレーン）から構成され、専用のクロック信号は持たず、代わりに８Ｂ／１０Ｂ符号化データ・ストリームにクロックが埋め込まれている。
【０２１５】
このＤＰインターフェースでは、ＨＤＭＩと異なり、伝送速度とピクセル周波数は独立していて、ピクセルの深さや解像度、フレーム周波数、及び転送ストリーム内の音声データやＤＲＭ（Ｄｉｇｉｔａｌ  Ｒｉｇｈｔｓ  Ｍａｎａｇｅｍｅｎｔ）情報などの付加データの有無並びにその量を、自由に調整することができる。ＤＰインターフェースのメインリンク１７０４を用いて、非圧縮画像データ及び非圧縮画像データのダイナミックレンジ変換定義情報の伝送が行なわれる。
【０２１６】
また、ＤＰインターフェースには、メインリンク１７０４とは別に、帯域幅１Ｍｂｐｓ、最大遅延５００ミリ秒の半二重双方向のＡＵＸチャネル１７０５が含まれている。ＡＵＸチャネル１７０５を用いた双方向通信によって、ＤＰ送信機器１７０１とＤＰ受信機器１７０１との間で機能に関する情報交換を行なう。このＡＵＸチャネル１７０５を用いて、非圧縮画像データのダイナミックレンジ変換定義情報の送信制御情報（送信要求情報、受信認識情報）の伝送を行なうことができる。また、ホットプラグ検知ライン１７０６は、接続先が変更されたことを検出するために備えられており、上述のＡＵＸチャネル１７０５と同様に、非圧縮画像データのダイナミックレンジ変換定義情報の送信制御情報（送信要求情報、受信認識情報）の伝送を行なうこともできる。
【０２１７】
ＤＰ受信機器１７０７がＡＵＸチャネル１７０５又はホットプラグ検知ライン１７０６を用いてＤＰ送信機器１７０１に送信制御情報を送信することにより、ＤＰシステム１７００において、図１１や図１２に示したものと同様のダイナミックレンジ変換定義情報の送信制御を実現することができる。
【０２１８】
［ＡＵＸチャネルのデータ構造例］
図１８には、ＤＰインターフェースに含まれるＡＵＸチャネル１７０５上で伝送されるパケットの構造例１８００を示している。図１８上に示すように、パケット１８００は、ヘッダー１８１０と、データ領域１８２０で構成される。ヘッダー１８１０は、同期用のＳＹＮＣ部１８１１と、４ビットのコマンド部（Ｃｏｍ）１８１２と、２０ビットの伝送先のアドレス（ａｄｄｒｅｓｓ）１８１３で構成される。ヘッダー１８１０に続き、８〜１２８ビット長のペイロード部（Ｐａｙｌａｏｄ）１８２１と、ＳＴＯＰビット１８２２でデータ領域１８２０が構成されている。
【０２１９】
ダイナミックレンジ変換定義情報の送信制御情報（送信要求情報、受信認識情報）は、パケット１８００のペイロード部１８２１に挿入される。図１８下には、ペイロード部１８２１に挿入される送信制御情報のデータ構造例１８３０を示している。第７ビットは、送信制御要求を表すビット（“Ｒｅｔｒａｎｓｍｉｔ＿ｒｅｑｕｅｓｔ”）が設定され、ハイ・レベル「１」に設定されたとき、当該パケット１８００が送信制御要求であることを示す。次に、第６ビットから第４ビットは、第７ビットでハイ・レベル「１」に設定されたときに、送信制御要求のデータの種類（“Ｍｅｔａｄａｔａ＿ｔｙｐｅ”）を示す。０ｂ００１は、ダイナミックレンジ変換定義情報を表し、０ｂ０１０は、ガンマ定義情報を表す。０ｂ０１１から０ｂ１１１は、将来の拡張用にリサーブ（“Ｒｅｓｅｒｖｅｄ”）とする。第０ビットは、受信認識情報を表すビット（“Ｍｅｔａｄａｔａ＿ｒｅｃｅｉｐｔ”）が設定され、ハイ・レベル「１」に設定されたとき、ダイナミックレンジ変換定義情報が受信できたことを示す。
【０２２０】
［ＭＨＬシステムの構造例］
図１９には、ＭＨＬインターフェースを用いたＭＨＬシステム１９００の構成例を示している。図示のＭＨＬシステム１９００は、ＭＨＬ送信機器１９０１とＭＨＬ受信機器１９０８で構成される。ＭＨＬ送信機器１９０１は、ＴＤＭＳ送信部１９０２と記憶部１９０３を備えている。また、ＭＨＬ受信機器１９０８は、ＴＤＭＳ受信部１９０９と記憶部１９１０とＥＤＩＤ−ＲＯＭ１９１１を備えている。そして、ＴＤＭＳ送信部１９０２とＴＤＭＳ受信部１９０９とは、ＭＨＬケーブル１９０４より接続されている。
【０２２１】
ＭＨＬケーブル１９０４は、ＴＭＤＳチャネル１９０５と、ＣＢＵＳライン又はｅＣＢＵＳライン１９０６と、電源供給用ＶＢＵＳライン１９０７で構成されている。ＴＭＤＳチャネル１９０５は、１対の差動信号ペアから構成され、非圧縮画像データ及び非圧縮画像データのダイナミックレンジ変換定義情報の伝送が行なわれる。また、ＣＢＵＳライン又はｅＣＢＵＳライン１９０６を用いて、非圧縮画像データのダイナミックレンジ変換定義情報の送信制御情報（送信要求情報、受信認識情報）の伝送を行なうことができる。
【０２２２】
ＭＨＬ受信機器１９０８がＣＢＵＳライン又はｅＣＢＵＳライン１９０６を用いてＭＨＬ送信機器１９０１に送信制御情報を送信することにより、ＭＨＬシステム１９００において、図１１や図１２に示したものと同様のダイナミックレンジ変換定義情報の送信制御を実現することができる。
【０２２３】
［ＣＢＵＳラインのデータ構造例］
図２０には、ＣＢＵＳチャネル１９０６上で伝送されるパケットの構造例２００００を示している。図２０上に示すように、パケット２０００は、２クロック分のＳＹＮＣパルス部（ＳＹＮＣ）２００１と、２ビットのヘッダー部（Ｈｅａｄｅｒ）２００２と、１ビットのコントロール部（ＣＴＬ）２００３と、８ビットのデータ部（Ｄａｔａ）２００４と、１ビットのパリティー部（Ｐａｒｉｔｙ）２００５と、２クロック分のＡＣＫ部（ＡＣＫ）２００６で構成されている。
【０２２４】
ダイナミックレンジ変換定義情報の送信制御情報（送信要求情報、受信認識情報）は、パケット２０００のデータ部２００４に挿入される。図２０下には、データ部２００４に挿入される送信制御情報のデータ構造例２０１０を示している。第７ビットは、送信制御要求を表すビット（“Ｒｅｔｒａｎｓｍｉｔ＿ｒｅｑｕｅｓｔ”）が設定され、ハイ・レベル「１」に設定されたとき、当該パケット２０００が送信制御要求であることを示す。次に、第６ビットから第４ビットは、第７ビットでハイ・レベル「１」に設定されたときに、送信制御要求のデータの種類（“Ｍｅｔａｄａｔａ＿ｔｙｐｅ”）を示す。０ｂ００１は、ダイナミックレンジ変換定義情報を表し、０ｂ０１０は、ガンマ定義情報を表す。０ｂ０１１から０ｂ１１１は、将来の拡張用にリサーブ（“Ｒｅｓｅｒｖｅｄ”）とする。第０ビットは、受信認識情報を表すビット（“Ｍｅｔａｄａｔａ＿ｒｅｃｅｉｐｔ”）が設定され、ハイ・レベル「１」に設定されたとき、ダイナミックレンジ変換定義情報が受信できたことを示す。
【０２２５】
ＭＨＬインターフェースにおけるＣＢＵＳライン１９０６によるダイナミックレンジ変換定義情報の送信制御を、ＨＤＭＩインターフェースにおけるＨＰＤ３５ラインと対比させて説明する。ＣＢＵＳラインにおいては、図２０に示したパケット２００のデータ部２００４を０ｘ６４に設定したとき、ＨＰＤがハイ・レベル「１」を表す。また、データ部２００４を０ｘ６５に設定したとき、ＨＰＤがロー・レベル「０」を表す。これにより、送信制御要求をＣＢＵＳライン１９０６で伝送することができる。
【先行技術文献】
【特許文献】
【０２２６】
【特許文献１】特開２００９−３８８２号公報
【特許文献２】特開２００８−２７６０６７号公報
【特許文献３】特開２００６−２１１０９５号公報
【産業上の利用可能性】
【０２２７】
以上、特定の実施形態を参照しながら、本明細書で開示する技術について詳細に説明してきた。しかしながら、本明細書で開示する技術の要旨を逸脱しない範囲で当業者が該実施形態の修正や代用を成し得ることは自明である。
【０２２８】
本明細書では、ＨＤＭＩの伝送路を用いるＡＶシステム（図１を参照のこと）の実施形態を示した。しかし、ベースバンド・デジタル・インターフェースとしては、ＨＤＭＩの他に、ＭＨＬ（Ｍｏｂｉｌｅ  Ｈｉｇｈ−ｄｅｆｉｎｉｔｉｏｎ  Ｌｉｎｋ）、光ファイバー・インターフェース、ＤＶＩ（Ｄｉｇｉｔａｌ  Ｖｉｓｕａｌ  Ｉｎｔｅｒｆａｃｅ）インターフェース、ＤＰ（Ｄｉｓｐｌａｙ  Ｐｏｒｔ）インターフェース、６０ＧＨｚミリ波を利用したワイヤレス・インターフェースなどが挙げられる。本明細書で開示する技術は、これらのデジタル・インターフェースで、非圧縮画像データのダイナミックレンジ変換定義情報の送信制御情報を伝送する場合にも同様に適用することができる。
【０２２９】
要するに、例示という形態により本明細書で開示する技術について説明してきたのであり、本明細書の記載内容を限定的に解釈するべきではない。本明細書で開示する技術の要旨を判断するためには、特許請求の範囲を参酌すべきである。
【０２３０】
なお、本明細書の開示の技術は、以下の（１）〜（１３）のような構成をとることも可能である。
（１）伝送路を介して非圧縮画像データを外部機器へ送信するデータ送信部と、
前記伝送路を介して非圧縮画像データのダイナミックレンジ変換定義情報を前記外部機器へ送信する情報送信部と、
前記伝送路を介して前記外部機器からダイナミックレンジ変換定義情報の送信制御情報を受信する制御受信部と、
を具備する通信装置。
（１−１）前記情報送信部は、非圧縮画像データのダイナミックレンジ変換定義情報を前記データ送信部で送信する非圧縮画像データのブランキング期間に挿入して前記外部機器へ送信する、
上記（１）に記載の通信装置。
（１−２）前記情報送信部は、非圧縮画像データのダイナミックレンジ変換定義情報を、前記伝送路に含まれる所定ラインを用いて構成される双方向通信路を介して、前記外部機器へ送信する、
上記（１）に記載の通信装置。
（１−３）前記双方向通信路は、一対の差動伝送路からなり、前記一対の差動伝送路のうち少なくとも一方は前記外部機器の接続状態の通知機能を備える、
上記（１−２）に記載の通信装置。
（１−４）前記伝送路は、一対の差動伝送路からなり、前記一対の差動伝送路のうち少なくとも一方は前記外部機器の接続状態の通知機能を備える、
上記（１）に記載の通信装置。
（２）前記制御受信部は、前記伝送路の直流バイアス電位によって前記外部機器の接続状態の通知を受信するラインを介して、前記外部機器から送信制御情報を受信する、
上記（１）に記載の通信装置。
（３）前記制御受信部は、前記伝送路に含まれる所定の制御データ・ラインを介して、前記外部機器から送信制御情報を受信する、
上記（１）に記載の通信装置。
（４）前記制御受信部は、前記伝送路に含まれる所定ラインを用いて構成される双方向通信路を介して、前記外部機器から送信制御情報を受信する、
上記（１）に記載の通信装置。
（５）前記制御受信部で前記外部機器から受信した送信制御情報に基づいて、前記情報送信部から前記外部機器へのダイナミックレンジ変換定義情報の送信を制御する、
上記（１）乃至（４）のいずれかに記載の通信装置。
（５−１）前記制御受信部で前記外部機器からダイナミックレンジ変換定義情報の送信要求情報を受信したことに応答して、前記情報送信部からダイナミックレンジ変換定義情報を送信する、
上記（５）に記載の通信装置。
（５−２）前記制御受信部で前記外部機器からダイナミックレンジ変換定義情報の受信認識情報を受信したことに応答して、前記情報送信部からダイナミックレンジ変換定義情報の送信を停止する、
上記（５）に記載の通信装置。
（６）伝送路を介して非圧縮画像データを外部機器へ送信するデータ送信ステップと、
前記伝送路を介して非圧縮画像データのダイナミックレンジ変換定義情報を前記外部機器へ送信する情報送信ステップと、
前記伝送路を介して前記外部機器からダイナミックレンジ変換定義情報の送信制御情報を受信する制御受信ステップと、
前記制御受信ステップで前記外部機器から受信した送信制御情報に基づいて、前記外部機器へのダイナミックレンジ変換定義情報の送信を制御する送信制御ステップと、
を有する通信方法。
（７）伝送路を介して非圧縮画像データを外部機器へ送信するデータ送信部、
前記伝送路を介して非圧縮画像データのダイナミックレンジ変換定義情報を前記外部機器へ送信する情報送信部、
前記伝送路を介して前記外部機器からダイナミックレンジ変換定義情報の送信制御情報を受信する制御受信部、
としてコンピューターを機能させるようにコンピューター可読形式で記述されたコンピューター・プログラム。
（８）伝送路を介して外部機器から非圧縮画像データを受信するデータ受信部と、
前記伝送路を介して非圧縮画像データのダイナミックレンジ変換定義情報を前記外部機器から受信する情報受信部と、
前記伝送路を介して前記外部機器にダイナミックレンジ変換定義情報の送信制御情報を送信する制御送信部と、
を具備する通信装置。
（８−１）前記情報受信部は、前記データ受信部で受信する非圧縮画像データのブランキング期間に挿入されたダイナミックレンジ変換定義情報を受信する、
上記（８）に記載の通信装置。
（８−２）前記情報送信部は、非圧縮画像データのダイナミックレンジ変換定義情報を、前記伝送路に含まれる所定ラインを用いて構成される双方向通信路を介して、前記外部機器から受信する、
上記（８）に記載の通信装置。
（８−３）前記双方向通信路は、一対の差動伝送路からなり、前記一対の差動伝送路のうち少なくとも一方は前記外部機器の接続状態の通知機能を備える、
上記（８−２）に記載の通信装置。
（８−４）前記伝送路は、一対の差動伝送路からなり、前記一対の差動伝送路のうち少なくとも一方は前記外部機器の接続状態の通知機能を備える、
上記（８）に記載の通信装置。
（８−５）前記情報受信部におけるダイナミックレンジ変換定義情報の受信状態に応じて、前記制御送信部からの送信制御情報の送信を制御する、
上記（８）に記載の通信装置。
（８−６）前記制御送信部は、送信制御情報として、ダイナミックレンジ変換定義情報の送信を要求する送信要求情報を前記外部機器へ送信する、
上記（８）に記載の通信装置。
（８−７）前記制御送信部は、前記伝送路を介して前記外部機器からの入力に切換えられたことに応答して、ダイナミックレンジ変換定義情報の送信を要求する送信要求情報を前記外部機器へ送信する、
上記（８）に記載の通信装置。
（８−８）前記制御送信部は、送信制御情報として、ダイナミックレンジ変換定義情報の受信認識情報を前記外部機器へ送信する、
上記（８）に記載の通信装置。
（８−９）前記制御送信部は、前記情報受信部が前記外部機器からダイナミックレンジ変換定義情報を受信したことに応答して、ダイナミックレンジ変換定義情報の受信認識情報を前記外部機器へ送信する、
上記（８）に記載の通信装置。
（９）前記制御送信部は、前記伝送路の直流バイアス電位によって前記外部機器の接続状態の通知を受信するラインを介して、前記外部機器へ送信制御情報を送信する、
上記（８）に記載の通信装置。
（１０）前記制御送信部は、前記伝送路に含まれる所定の制御データ・ラインを介して、前記外部機器へ送信制御情報を送信する、
上記（８）に記載の通信装置。
（１１）前記制御送信部は、前記伝送路に含まれる所定ラインを用いて構成される双方向通信路を介して、前記外部機器へ送信制御情報を送信する、
上記（８）に記載の通信装置。
（１２）伝送路を介して外部機器から非圧縮画像データを受信するデータ受信ステップと、
前記伝送路を介して非圧縮画像データのダイナミックレンジ変換定義情報を前記外部機器から受信する情報受信ステップと、
前記伝送路を介して前記外部機器にダイナミックレンジ変換定義情報の送信制御情報を送信する制御送信ステップと、
を具備する通信装置。
（１３）伝送路を介して外部機器から非圧縮画像データを受信するデータ受信部、
前記伝送路を介して非圧縮画像データのダイナミックレンジ変換定義情報を前記外部機器から受信する情報受信部、
前記伝送路を介して前記外部機器にダイナミックレンジ変換定義情報の送信制御情報を送信する制御送信部、
としてコンピューターを機能させるようにコンピューター可読形式で記述されたコンピューター・プログラム。
【符号の説明】
【０２３１】
１０…ＡＶシステム
１１…ＢＤレコーダー
１１ａ…ＨＤＭＩ端子、１１ｂ…ＨＤＭＩ送信部、１１ｃ…制御受信部
１１ｄ…情報送信部、１１ｅ…復号部、１１ｆ…記憶媒体
１２…ＳＴＢ（Ｓｅｔ  Ｔｏｐ  Ｂｏｘ）
１２ａ…ＨＤＭＩ端子、１２ｂ…ＨＤＭＩ送信部、１２ｃ…制御受信部
１２ｄ…チューナー部、１２ｅ…復号部、１２ｆ…情報記憶部
１２ｇ…情報送信部
１３…テレビ受信機
１３ａ…ＨＤＭＩ端子、１３ｂ…ＨＤＭＩ受信部、１３ｃ…制御送信部
１３ｄ…情報受信部、１３ｅ…記憶部、１３ｆ…ＨＤＭＩ端子
１３ｇ…ＨＤＭＩ受信部、１３ｈ…制御送信部、１３ｉ…情報受信部
１３ｊ…記憶部、１３ｋ…選択部、１３ｍ…信号処理部
１４−１、１４−２…ＨＤＭＩケーブル
１０１…ＣＰＵ、１０２…内部バス、１０３…フラッシュＲＯＭ
１０４…ＳＤＲＡＭ、１０５…リモコン受信部、１０６…リモコン送信機
１０７…記録媒体制御インターフェース、１０８…ＢＤドライブ
１０９…ＨＤＤ、１１０…ＭＰＥＧデコーダー
１１１…グラフィック生成回路、１１２…画像出力端子
１１３…音声出力端子、１１４…表示制御部、１１５…パネル駆動回路
１１６…表示パネル、１１７…電源部、１１８…ＳＳＤ
１１９…ＨＤＭＩ送信部、１２０…高速バス・インターフェース
２０１…アンテナ端子、２０２…デジタル・チューナー
２０３…ＭＰＥＧデコーダー、２０４…画像信号処理回路
２０５…グラフィック生成回路、２０６…パネル駆動回路
２０７…表示パネル、２０８…音声信号処理回路、２０９…音声増幅回路
２１０…スピーカー、２１１…内部バス、２１２…ＣＰＵ
２１３…フラッシュＲＯＭ、２１４…ＳＤＲＡＭ、２１５…リモコン受信部
２１６…リモコン送信機、２１７…ワイヤレス送受信部
２１８…表示制御部、２１９…電源部
２２０…ＨＤＭＩ受信部、２２１…高速バス・インターフェース
２２２…ＨＤＭＩ受信部、２２３…高速バス・インターフェース
１７００…ＤＰシステム、１７０１…ＤＰ送信機器、１７０２…ＤＰ送信部
１７０３…ＤＰケーブル、１７０４…メインリンク
１７０５…ＡＵＸチャネル、１７０６…ホットプラグ検知ライン
１７０７…ＤＰ受信機器、１７０８…ＤＰ受信部
１９００…ＭＨＬシステム
１９０１…ＭＨＬ送信機器、１９０２…ＴＤＭＳ送信部
１９０３…記憶部、１９０４…ＭＨＬケーブル
１９０５…ＴＤＭＳチャネル
１９０６…ＣＢＵＳライン又はｅＣＢＵＳライン
１９０７…ＶＢＵＳライン、１９０８…ＭＨＬ受信機器
１９０９…ＴＤＭＳ受信部、１９１０…記憶部
１９１１…ＥＤＩＤ−ＲＯＭ
【図１】
2019110547.tif 000003
【図２】
2019110547.tif 000004
【図３】
2019110547.tif 000005
【図４】
2019110547.tif 000006
【図５】
2019110547.tif 000007
【図６】
2019110547.tif 000008
【図７】
2019110547.tif 000009
【図８】
2019110547.tif 000010
【図９】
2019110547.tif 000011
【図１０】
2019110547.tif 000012
【図１１】
2019110547.tif 000013
【図１２】
2019110547.tif 000014
【図１３】
2019110547.tif 000015
【図１４】
2019110547.tif 000016
【図１５】
2019110547.tif 000017
【図１６】
2019110547.tif 000018
【図１７】
2019110547.tif 000019
【図１８】
2019110547.tif 000020
【図１９】
2019110547.tif 000021
【図２０】
2019110547.tif 000022
【図２１】
2019110547.tif 000023
【手続補正書】
【提出日】平成31年3月7日(2019.3.7)
【手続補正１】
【補正対象書類名】特許請求の範囲
【補正対象項目名】全文
【補正方法】変更
【補正の内容】
【特許請求の範囲】
【請求項１】
外部機器から伝送路を介して画像データ及び画像データのダイナミックレンジ変換定義情報を受信する受信部と、
受信したダイナミックレンジ変換定義情報に基づいて受信した画像データのダイナミックレンジ変換処理が行われた画像を表示する表示部と、
を具備し、
前記受信部は、画像データの入力先が第１の外部機器から第２の外部機器に切換えられた際に、前記第２の外部機器に対して前記伝送路に含まれるＨＰＤラインを一定期間だけロー・レベルにした後ハイ・レベルにする制御により、前記伝送路を介して前記第２の外部機器から画像データのダイナミックレンジ変換定義情報を受信する、
表示装置。
【請求項２】
前記伝送路はＨＤＭＩ規格に準拠する、
請求項１に記載の表示装置。
【請求項３】
外部機器から伝送路を介して画像データ及び画像データのダイナミックレンジ変換定義情報を受信する受信ステップと、
受信したダイナミックレンジ変換定義情報に基づいて受信した画像データのダイナミックレンジ変換処理が行われた画像を表示部に表示する表示ステップと、を有し、
前記受信部ステップでは、画像データの入力先が第１の外部機器から第２の外部機器に切換えられた際に、前記第２の外部機器に対して前記伝送路に含まれるＨＰＤラインを一定期間だけロー・レベルにした後ハイ・レベルにする制御により、前記伝送路を介して前記第２の外部機器から画像データのダイナミックレンジ変換定義情報を受信する、
表示制御方法。
【請求項４】
外部機器から伝送路を介して画像データ及び画像データのダイナミックレンジ変換定義情報を受信する受信部、
受信したダイナミックレンジ変換定義情報に基づいて受信した画像データのダイナミックレンジ変換処理が行われた画像を表示する表示部、
としてコンピューターを機能させ、
前記受信部は、画像データの入力先が第１の外部機器から第２の外部機器に切換えられた際に、前記第２の外部機器に対して前記伝送路に含まれるＨＰＤラインを一定期間だけロー・レベルにした後ハイ・レベルにする制御により、前記伝送路を介して前記第２の外部機器から画像データのダイナミックレンジ変換定義情報を受信する、
コンピューター可読形式で記述されたコンピューター・プログラム。
【手続補正３】
【補正対象書類名】明細書
【補正対象項目名】０１４９
【補正方法】変更
【補正の内容】
【０１４９】
次いで、画像ポイント９０５において、参照番号９０６で示すように、ＢＤレコーダー１１の情報送信部１１ｄから新たなダイナミックレンジ変換定義情報（ＨＤＲメタ３）が送信されるが、テレビ受信機１３側では、ＨＤＭＩ入力＃２（ＳＴＢ１２）からの画像データの信号処理を実施している期間であり、新たなダイナミックレンジ変換定義情報（ＨＤＲメタ３）を受信できないので、以前のダイナミックレンジ変換定義情報ＨＤＲ２を保持したままとなる。
【手続補正４】
【補正対象書類名】明細書
【補正対象項目名】０１５８
【補正方法】変更
【補正の内容】
【０１５８】
その後、参照番号１０１５で示すように、ＨＤＭＩ入力切換えが行なわれて、ＨＤＭＩ入力＃１（ＢＤレコーダー１１）からの画像データに戻ったとする。このとき、テレビ受信機１３は、ＨＤＭＩ入力切換先であるＢＤレコーダー１１に対して、ダイナミックレンジ変換定義情報の送信要求を行なう。具体的には、テレビ受信機１３側で、参照番号１０１６で示すように、制御送信部１３ｃが、ＨＤＭＩ端子１３ａのＨＰＤライン３５を一定期間だけロー・レベル「Ｌ」にし、その後ハイ・レベル「Ｈ」に制御する。これに対し、ＢＤレコーダー１１側では、制御受信部１１ｃでＨＰＤライン３５の立ち上がりエッジを検出したとき、テレビ受信機１３でダイナミックレンジ変換定義情報の送信制御が行なわれたと判断すると、参照番号１００８で示すように、画像ポイント１０１５で送信したものと同じダイナミックレンジ変換定義情報（ＨＤＲメタ３）を情報送信部１１ｄから送信する。そして、テレビ受信機１３側では、参照番号１０１７で示すように、再度送信されたダイナミックレンジ変換定義情報（ＨＤＲメタ３）を用いて、ダイナミックレンジ変換処理を行なう。
【手続補正５】
【補正対象書類名】明細書
【補正対象項目名】０１６５
【補正方法】変更
【補正の内容】
【０１６５】
次いで、画像ポイント１１０５において、参照番号１１０６で示すように、ＢＤレコーダー１１から新たなダイナミックレンジ変換定義情報（ＨＤＲメタ３）が送信されるが、テレビ受信機１３側では、ＨＤＭＩ入力＃２（ＳＴＢ１２）からの画像データの信号処理を実施している期間であり、新たなダイナミックレンジ変換定義情報（ＨＤＲメタ３）を受信できないので、以前のダイナミックレンジ変換定義情報ＨＤＲ２を記憶部１３ｅで保持したままとなる。
【手続補正６】
【補正対象書類名】明細書
【補正対象項目名】０１６６
【補正方法】変更
【補正の内容】
【０１６６】
その後、参照番号１１１５で示すように、ＨＤＭＩ入力切換えが行なわれて、ＨＤＭＩ入力＃１（ＢＤレコーダー１１）からの画像データに戻ったとする。このとき、テレビ受信機１３は、ＨＤＭＩ入力切換先であるＢＤレコーダー１１に対して、ダイナミックレンジ変換定義情報の送信要求を行なう。具体的には、テレビ受信機１３側では、参照番号１１１６で示すように、制御送信部１３ｃが、ＨＤＭＩ端子１３ａのＣＥＣライン３４、あるいはＨＰＤ／Ｅｔｈｅｒ＋ライン３５とリザーブ／Ｅｔｈｅｒ−ライン３７による双方向通信路を介して、ダイナミックレンジ変換定義情報の送信要求コマンドを送信する。ＢＤレコーダー１１は、ＣＥＣライン３４又は双方向通信路を介してダイナミックレンジ変換定義情報の送信要求コマンドを制御受信部１１ｃで受信すると、これに応答して、参照番号１１０８で示すように、画像ポイント１０１５で送信したものと同じダイナミックレンジ変換定義情報（ＨＤＲメタ３）を情報送信部１１ｄから送信する。テレビ受信機１３は、参照番号１１１７で示すように、再度送信されたダイナミックレンジ変換定義情報（ＨＤＲメタ３）を用いて、正しくダイナミックレンジ変換処理を行なうことができる。